(57)【要約】      （修正有）【課題】歌唱で第１位を獲得した利用者に対して、当該獲得した第１位に対する評価の高低等の情報を提供可能とすることにより興趣を向上させることができる情報提供装置、楽曲再生装置、情報提供方法及び情報提供処理プログラムを提供する。【解決手段】同一の楽曲において歌唱力の採点結果が最も良い第１位の利用者の採点情報を、当該楽曲における歌唱の選手権保持者の採点情報として、当該楽曲を識別するための楽曲識別情報と対応付けて判別可能に登録しておくデータベースと、利用者によって選択された楽曲の楽曲識別情報と、当該楽曲を当該利用者が歌唱することによって楽曲再生装置により生成された採点情報と、を楽曲再生装置から受信する採点情報受信手段と、受信された採点情報が、受信された楽曲識別情報に対応してデータベースに登録されている選手権保持者の採点情報と比較して、より良い採点結果を示すか否かを判定する比較判定手段と、を備える。【選択図】図６
2008203501.tif 000002
【特許請求の範囲】
【請求項１】
楽曲の歌唱の伴奏に用いられる楽曲情報を再生し且つ当該伴奏によって利用者が発した歌唱音声に基づいて歌唱力の採点結果を示す採点情報を生成する楽曲再生装置と通信手段を介して通信可能な情報提供装置であって、
同一の楽曲において歌唱力の採点結果が最も良い第１位の前記利用者の前記採点情報を、当該楽曲における歌唱の選手権保持者の前記採点情報として、当該楽曲を識別するための楽曲識別情報と対応付けて判別可能に登録しておくデータベースと、
前記利用者によって選択された楽曲の前記楽曲識別情報と、当該楽曲を当該利用者が歌唱することによって前記楽曲再生装置により生成された前記採点情報と、を前記楽曲再生装置から受信する採点情報受信手段と、
前記受信された採点情報が、前記受信された楽曲識別情報に対応して前記データベースに登録されている前記選手権保持者の採点情報と比較して、より良い採点結果を示すか否かを判定する比較判定手段と、
前記受信された採点情報がより良い採点結果を示す場合には、当該採点情報を送信してきた前記楽曲再生装置の利用者を、新たな前記選手権保持者と認定する選手権保持者認定手段と、
新たな前記選手権保持者が認定された場合には、前記選手権保持者の更新を行う選手権保持者更新手段と、を備え、
前記選手権保持者更新手段は、
前記受信された採点情報を、新たな前記選手権保持者の採点情報として、前記受信された楽曲識別情報に対応付けて前記データベースに変更登録する変更登録手段と、
予め定められた基準に基づいて、前記選手権保持者としての評価の高低を示し且つ前記認定された選手権保持者に対して付与されるグレードを決定するグレード決定手段と、
前記採点情報を送信してきた前記楽曲再生装置の前記利用者が前記決定されたグレードを付与された前記選手権保持者と認定されていることを示し、且つ、当該利用者に対して報知すべきグレード報知情報を、当該楽曲再生装置に送信するグレード報知情報送信手段と、
を備えることを特徴とする情報提供装置。
【請求項２】
請求項１に記載の情報提供装置において、
前記データベースには、当該情報提供装置が前記楽曲再生装置に対して前記楽曲情報を配信し始める日として予め設定された配信開始日を示す配信開始日情報が、当該楽曲情報が対応する楽曲の前記楽曲識別情報と対応付けて登録されており、
前記グレード決定手段は、予め区分された複数の日数範囲のうち、前記受信された楽曲識別情報に対応して前記データベースに登録されている前記配信開始日情報に示される配信開始日から前記新たな歌唱選手権保持者が認定された日までの日数を含む日数範囲までの、前記配信開始日からの日数がより少ない日数範囲であるほど、より高い評価を示すように前記グレードを決定することを特徴とする情報提供装置。
【請求項３】
請求項１に記載の情報提供装置において、
前記採点情報受信手段により受信された前記採点情報に基づいて、前記受信された楽曲識別情報が示す楽曲について歌唱力における前記利用者の順位を決定する順位決定手段を更に備え、
前記グレード決定手段は、予め区分された複数の回数範囲のうち、前記受信された楽曲識別情報に対応して前記順位決定手段により順位が決定された回数を含む回数範囲が、より回数の多い回数範囲であるほど、より高い評価を示すように前記グレードを決定することを特徴とする情報提供装置。
【請求項４】
請求項１に記載の情報提供装置において、
前記採点情報受信手段により受信された前記採点情報に基づいて、前記受信された楽曲識別情報が示す楽曲について歌唱力における前記利用者の順位を決定する順位決定手段を更に備え、
前記データベースには、当該情報提供装置が前記楽曲再生装置に対して前記楽曲情報を配信し始める日として予め設定された配信開始日を示す配信開始日情報が、当該楽曲情報が対応する楽曲の前記楽曲識別情報と対応付けて登録されており、
前記グレード決定手段は、前記受信された楽曲識別情報に対応して前記データベースに登録されている前記配信開始日情報に示される配信開始日から前記新たな歌唱選手権保持者が認定された日までの日数がより少ないほど、より高い評価を示すように、且つ、前記受信された楽曲識別情報に対応して前記順位決定手段により順位が決定された回数がより多いほど、より高い評価を示すように、統合的に前記グレードを決定することを特徴とする情報提供装置。
【請求項５】
請求項１乃至４の何れか１項に記載の情報提供装置において、
前記データベースには、各楽曲における前記選手権保持者の採点情報及び各当該選手権保持者に付与された前記グレードを示すグレード情報が、夫々当該各楽曲の前記楽曲識別情報と、当該各選手権保持者と認定された利用者を識別するための利用者識別情報と対応付けて判別可能に登録されており、
前記採点情報受信手段は、前記楽曲識別情報、前記採点情報及び前記楽曲再生装置の前記利用者の前記利用者識別情報を当該楽曲再生装置から受信し、
前記変更登録手段は、前記新たな選手権保持者の採点情報と、前記グレード決定手段により決定された前記グレード情報とを、前記受信された楽曲識別情報及び利用者識別情報と対応付けて前記データベースに変更登録し、
端末装置から通信手段を介して送信された前記利用者識別情報を受信する利用者識別情報受信手段と、
前記受信された前記利用者識別情報に対応して前記データベースに登録されている前記グレード情報及び前記楽曲識別情報に基づいて、当該利用者識別情報が示す利用者の楽曲毎のグレード報知情報を、前記利用者識別情報を送信してきた前記前記端末装置に送信する第２グレード報知情報送信手段と、
を更に備えることを特徴とする情報提供装置。
【請求項６】
請求項５に記載の情報提供装置において、
前記データベースには、前記利用者が前記楽曲再生装置を利用する本拠地を示す本拠地情報が、当該利用者の前記利用者識別情報と対応付けて登録されており、
前記採点情報受信手段は、前記楽曲識別情報、前記採点情報、前記利用者識別情報及び前記楽曲再生装置が設置されている場所を示す設置場所情報を当該楽曲再生装置から受信し、
前記受信された利用者識別情報に対応して前記データベースに登録されている前記本拠地情報が示す本拠地と、前記受信された設置場所情報が示す設置場所と、を比較する場所比較手段を更に備え、
前記グレード決定手段は、前記予め定められた基準に前記場所比較手段による比較結果を加味して前記グレードを決定することを特徴とする情報提供装置。
【請求項７】
請求項５または請求項６に記載の情報提供装置において、
前記データベースには、前記楽曲情報が対応する楽曲の属性を示す属性情報が、当該楽曲の前記楽曲識別情報と対応付けて登録されており、
前記選手権保持者更新手段は、
前記採点情報受信手段により受信された前記楽曲識別情報が示す楽曲と前記属性情報が一致する楽曲の前記楽曲識別情報に対応して、前記データベースに前記選手権保持者として登録されている前記利用者識別情報のうち、前記採点情報受信手段により受信された前記利用者識別情報と同一の前記利用者識別情報が登録されている数が最も多い場合には、当該利用者識別情報が示す利用者を、当該属性情報が示す属性における歌唱の選手権保持者と認定する第２選手権保持者認定手段を更に備え、
前記グレード報知情報送信手段は、前記グレード報知情報と、前記採点情報を送信してきた前記楽曲再生装置の前記利用者が、前記属性における歌唱の選手権保持者と認定されていることを示し、且つ、当該利用者に対して報知すべき属性選手権保持者報知情報と、を送信することを特徴とする情報提供装置。
【請求項８】
請求項７に記載の情報提供装置において、
前記データベースには、前記属性情報として、楽曲のジャンルを示すジャンル情報または楽曲のアーティストを示すアーティスト情報の少なくとも何れか一方が、当該楽曲の前記楽曲識別情報と対応付けて登録されていることを特徴とする情報提供装置。
【請求項９】
請求項７または請求項８に記載の情報提供装置において、
前記選手権保持者更新手段は、
予め定められた基準に基づいて、前記第２選手権保持者決定手段により認定された前記属性における歌唱の選手権保持者に対して付与される前記グレードを決定する第２グレード決定手段と、
前記第２グレード決定手段により決定された前記グレードを示すグレード情報を、前記第２選手権保持者決定手段により前記属性における歌唱の選手権保持者と認定された利用者の前記利用者識別情報と、当該属性を識別するための属性識別情報と、に対応付けて前記データベースに登録するグレード情報登録手段と、を更に備え、
前記属性選手権保持者報知情報は、前記採点情報を送信してきた前記楽曲再生装置の前記利用者が前記第２グレード決定手段により決定されたグレードを付与された前記属性における歌唱の選手権保持者と認定されていることを示すことを特徴とする情報提供装置。
【請求項１０】
請求項５乃至９の何れか１項に記載の情報提供装置において、
前記データベースには、前記利用者の電子メールアドレスが、当該利用者の前記利用者識別情報と対応付けて登録されており、
前記選手権保持者更新手段は、前記採点情報受信手段により受信された前記楽曲識別情報に対応付けて前記変更登録手段による前記変更登録の前に前記データベースに登録されていた前記利用者識別情報に対応する前記電子メールアドレスを特定し、当該特定された電子メールアドレス宛に、前記選手権保持者ではなくなった旨を通知する電子メールを通信手段を介して送信するメール送信手段を更に備えることを特徴とする情報提供装置。
【請求項１１】
請求項１乃至１０の何れか１項に記載の情報提供装置と通信手段を介して通信可能な楽曲再生装置であって、
利用者によって選択された楽曲に対応する前記楽曲情報を再生する楽曲再生手段と、
利用者が発した歌唱音声を入力する音声入力手段と、
前記入力された歌唱音声に基づいて、前記採点情報を生成する採点情報生成手段と、
前記生成された採点情報と、前記選択された楽曲の前記楽曲識別情報と、を前記情報提供装置に送信する採点情報送信手段と、
前記情報提供装置から送信された前記グレード報知情報を受信するグレード報知情報受信手段と、
前記受信されたグレード報知情報に基づいて、利用者が前記グレード決定手段により決定されたグレード情報を付与された前記選手権保持者と認定されていることを報知する報知手段と、
を備えることを特徴とする楽曲再生装置。
【請求項１２】
楽曲の歌唱の伴奏に用いられる楽曲情報を再生し且つ当該伴奏によって利用者が発した歌唱音声に基づいて歌唱力の採点結果を示す採点情報を生成する楽曲再生装置と通信手段を介して通信可能な情報提供装置であって、同一の楽曲において歌唱力の採点結果が最も良い第１位の前記利用者の前記採点情報を、当該楽曲における歌唱の選手権保持者の前記採点情報として、当該楽曲を識別するための楽曲識別情報と対応付けて判別可能に登録しておくデータベースを備える情報提供装置における情報提供方法であって、
前記利用者によって選択された楽曲の前記楽曲識別情報と、当該楽曲を当該利用者が歌唱することによって前記楽曲再生装置により生成された前記採点情報と、を前記楽曲再生装置から受信する採点情報受信工程と、
前記受信された採点情報が、前記受信された楽曲識別情報に対応して前記データベースに登録されている前記選手権保持者の採点情報と比較して、より良い採点結果を示すか否かを判定する比較判定工程と、
前記受信された採点情報がより良い採点結果を示す場合には、当該採点情報を送信してきた前記楽曲再生装置の利用者を、新たな前記選手権保持者と認定する選手権保持者認定工程と、
新たな前記選手権保持者が認定された場合には、前記選手権保持者の更新を行う選手権保持者更新工程と、を備え、
前記選手権保持者更新工程は、
前記受信された採点情報を、新たな前記選手権保持者の採点情報として、前記受信された楽曲識別情報に対応付けて前記データベースに変更登録する変更登録工程と、
予め定められた基準に基づいて、前記選手権保持者としての評価の高低を示し且つ前記認定された選手権保持者に対して付与されるグレードを決定するグレード決定手工程と、
前記採点情報を送信してきた前記楽曲再生装置の前記利用者が前記決定されたグレードを付与された前記選手権保持者と認定されていることを示し、且つ、当該利用者に対して報知すべきグレード報知情報を、当該楽曲再生装置に送信するグレード報知情報送信工程と、
を備えることを特徴とする情報提供方法。
【請求項１３】
楽曲の歌唱の伴奏に用いられる楽曲情報を再生し且つ当該伴奏によって利用者が発した歌唱音声に基づいて歌唱力の採点結果を示す採点情報を生成する楽曲再生装置と通信手段を介して通信可能な情報提供装置であって、同一の楽曲において歌唱力の採点結果が最も良い第１位の前記利用者の前記採点情報を、当該楽曲における歌唱の選手権保持者の前記採点情報として、当該楽曲を識別するための楽曲識別情報と対応付けて判別可能に登録しておくデータベースを備える情報提供装置に含まれるコンピュータを、
前記利用者によって選択された楽曲の前記楽曲識別情報と、当該楽曲を当該利用者が歌唱することによって前記楽曲再生装置により生成された前記採点情報と、を前記楽曲再生装置から受信する採点情報受信手段、
前記受信された採点情報が、前記受信された楽曲識別情報に対応して前記データベースに登録されている前記選手権保持者の採点情報と比較して、より良い採点結果を示すか否かを判定する比較判定手段、
前記受信された採点情報がより良い採点結果を示す場合には、当該採点情報を送信してきた前記楽曲再生装置の利用者を、新たな前記選手権保持者と認定する選手権保持者認定手段、
新たな前記選手権保持者が認定された場合には、前記選手権保持者の更新を行う選手権保持者更新手段、として機能させ、
前記選手権保持者更新手段として機能する前記コンピュータを、
前記受信された採点情報を、新たな前記選手権保持者の採点情報として、前記受信された楽曲識別情報に対応付けて前記データベースに変更登録する変更登録手段、
予め定められた基準に基づいて、前記選手権保持者としての評価の高低を示し且つ前記認定された選手権保持者に対して付与されるグレードを決定するグレード決定手段、
前記採点情報を送信してきた前記楽曲再生装置の前記利用者が前記決定されたグレードを付与された前記選手権保持者と認定されていることを示し、且つ、当該利用者に対して報知すべきグレード報知情報を、当該楽曲再生装置に送信するグレード報知情報送信手段、
として機能させることを特徴とする情報提供処理プログラム。
【発明の詳細な説明】
【技術分野】
【０００１】
本発明は、楽曲の歌唱の伴奏に用いられる楽曲情報を再生し且つ当該伴奏によって利用者が発した歌唱音声に基づいて歌唱力の採点結果を示す採点情報を生成する、例えば、採点機能を有するカラオケ装置等の楽曲再生装置、当該楽曲再生装置と通信手段を介して通信可能な情報提供装置、情報提供方法及び情報提供処理プログラムの技術分野に関する。
【背景技術】
【０００２】
従来から、利用者の歌唱音声に基づいて当該利用者の歌唱力をカラオケ装置が採点する一方、カラオケ装置とインターネット等の通信手段を介して接続されたサーバ装置が、各カラオケ装置からの採点結果を集計して、各楽曲別に順位付けをしたランキング情報を生成してカラオケ装置に配信し、各カラオケ装置がこのランキング情報を画面表示することが可能となっている（例えば、特許文献１）。
【特許文献１】特開２００５−３１５９３４号公報
【発明の開示】
【発明が解決しようとする課題】
【０００３】
ところで、ある楽曲のランキングで第１位となった利用者は、当該楽曲で歌唱力が最も高い利用者であるといえよう。ところが、同じ第１位でも、楽曲の条件によっては、この第１位としての価値や重み等が異なるものである。例えば、新曲の配信開始から短期間で獲得した第１位と、音楽ＣＤ等の発売開始から長期間経過してから獲得した第１位とでは、前者の方が、短期間でその曲に上達した上で第１位となったといえるのであるから、前者に対してより高い評価を与えても良いものと考えられる。その一方で、例えば、今まで歌った人数が多い楽曲での第１位と、歌った人数が少ない楽曲での第１位とでは、前者の方が第１位を獲得することが困難であると考えられることから、前者に対してより高い評価を与えても良いはずである。
【０００４】
しかしながら、上述した従来の技術では、楽曲毎に全国で第何位といったように、画一的な評価しかしておらず、第１位は単に第１位として利用者に提示していたに過ぎなかった。
【０００５】
本発明は、以上の点に鑑みてなされたものであり、歌唱で第１位を獲得した利用者に対して、当該獲得した第１位に対する評価の高低等の情報を提供可能とすることにより興趣を向上させることができる情報提供装置、楽曲再生装置、情報提供方法及び情報提供処理プログラムを提供することを目的とする。
【課題を解決するための手段】
【０００６】
上記課題を解決するために、請求項１に記載の発明は、楽曲の歌唱の伴奏に用いられる楽曲情報を再生し且つ当該伴奏によって利用者が発した歌唱音声に基づいて歌唱力の採点結果を示す採点情報を生成する楽曲再生装置と通信手段を介して通信可能な情報提供装置であって、同一の楽曲において歌唱力の採点結果が最も良い第１位の前記利用者の前記採点情報を、当該楽曲における歌唱の選手権保持者の前記採点情報として、当該楽曲を識別するための楽曲識別情報と対応付けて判別可能に登録しておくデータベースと、前記利用者によって選択された楽曲の前記楽曲識別情報と、当該楽曲を当該利用者が歌唱することによって前記楽曲再生装置により生成された前記採点情報と、を前記楽曲再生装置から受信する採点情報受信手段と、前記受信された採点情報が、前記受信された楽曲識別情報に対応して前記データベースに登録されている前記選手権保持者の採点情報と比較して、より良い採点結果を示すか否かを判定する比較判定手段と、前記受信された採点情報がより良い採点結果を示す場合には、当該採点情報を送信してきた前記楽曲再生装置の利用者を、新たな前記選手権保持者と認定する選手権保持者認定手段と、新たな前記選手権保持者が認定された場合には、前記選手権保持者の更新を行う選手権保持者更新手段と、を備え、前記選手権保持者更新手段は、前記受信された採点情報を、新たな前記選手権保持者の採点情報として、前記受信された楽曲識別情報に対応付けて前記データベースに変更登録する変更登録手段と、予め定められた基準に基づいて、前記選手権保持者としての評価の高低を示し且つ前記認定された選手権保持者に対して付与されるグレードを決定するグレード決定手段と、前記採点情報を送信してきた前記楽曲再生装置の前記利用者が前記決定されたグレードを付与された前記選手権保持者と認定されていることを示し、且つ、当該利用者に対して報知すべきグレード報知情報を、当該楽曲再生装置に送信するグレード報知情報送信手段と、を備えることを特徴とする。
【０００７】
この発明によれば、同一の楽曲において歌唱力の採点結果が最も良い第１位の利用者の採点情報が、当該楽曲における歌唱の選手権保持者の採点情報として、楽曲識別情報と対応付けて判別可能にデータベースに登録され、情報提供装置は、楽曲再生装置から採点情報と楽曲識別情報とを受信し、当該受信された採点情報が、楽曲識別情報に対応してデータベースに登録されている選手権保持者の採点情報と比較して、より良い採点結果を示す場合には、採点情報を送信してきた楽曲再生装置の利用者を、新たな選手権保持者と認定し、選手権保持者の更新を行う。ここで、情報提供装置は、受信された採点情報を選手権保持者の採点情報としてデータベースに変更登録し、予め定められた基準に基づいて、選手権保持者としての評価の高低を示し且つ認定された選手権保持者に対して付与されるグレードを決定し、採点情報を送信してきた楽曲再生装置の利用者が、決定されたグレードを付与された選手権保持者と認定されていることを示し、且つ、当該利用者に対して報知すべきグレード報知情報を当該楽曲再生装置に送信する。そうすると、楽曲再生装置によりグレード報知情報の報知が行われる。
【０００８】
従って、歌唱力で第１位を獲得した利用者が、楽曲再生装置により報知されたグレードによって、選手権保持者としての自分に対する評価の高低を知ることができるので、歌唱力の採点についての興趣を向上させることができる。
【０００９】
請求項２に記載の発明は、請求項１に記載の情報提供装置において、前記データベースには、当該情報提供装置が前記楽曲再生装置に対して前記楽曲情報を配信し始める日として予め設定された配信開始日を示す配信開始日情報が、当該楽曲情報が対応する楽曲の前記楽曲識別情報と対応付けて登録されており、前記グレード決定手段は、予め区分された複数の日数範囲のうち、前記受信された楽曲識別情報に対応して前記データベースに登録されている前記配信開始日情報に示される配信開始日から前記新たな歌唱選手権保持者が認定された日までの日数を含む日数範囲までの、前記配信開始日からの日数がより少ない日数範囲であるほど、より高い評価を示すように前記グレードを決定することを特徴とする。
【００１０】
この発明によれば、楽曲情報の配信の開始からより早く第１位を獲得するほどグレードが高くなるので、新しい楽曲を早く覚える熱心な利用者を高く評価することが可能となる。従って、新しい楽曲をいち早く歌おうとする動機付けを利用者に対して与え、これにより、楽曲再生装置の利用を促進することができる。
【００１１】
請求項３に記載の発明は、請求項１に記載の情報提供装置において、前記採点情報受信手段により受信された前記採点情報に基づいて、前記受信された楽曲識別情報が示す楽曲について歌唱力における前記利用者の順位を決定する順位決定手段を更に備え、前記グレード決定手段は、予め区分された複数の回数範囲のうち、前記受信された楽曲識別情報に対応して前記順位決定手段により順位が決定された回数を含む回数範囲が、より回数の多い回数範囲であるほど、より高い評価を示すように前記グレードを決定することを特徴とする。
【００１２】
この発明によれば、より多くの利用者に歌われた中で第１位を獲得するほどグレードが高くなるので、客観的に実力のある利用者を高く評価することが可能となる。従って、楽曲をより上手に歌おうとする動機付けを利用者に対して与え、これにより、楽曲再生装置の利用を促進することができる。
【００１３】
請求項４に記載の発明は、請求項１に記載の情報提供装置において、前記採点情報受信手段により受信された前記採点情報に基づいて、前記受信された楽曲識別情報が示す楽曲について歌唱力における前記利用者の順位を決定する順位決定手段を更に備え、前記データベースには、当該情報提供装置が前記楽曲再生装置に対して前記楽曲情報を配信し始める日として予め設定された配信開始日を示す配信開始日情報が、当該楽曲情報が対応する楽曲の前記楽曲識別情報と対応付けて登録されており、前記グレード決定手段は、前記受信された楽曲識別情報に対応して前記データベースに登録されている前記配信開始日情報に示される配信開始日から前記新たな歌唱選手権保持者が認定された日までの日数がより少ないほど、より高い評価を示すように、且つ、前記受信された楽曲識別情報に対応して前記順位決定手段により順位が決定された回数がより多いほど、より高い評価を示すように、統合的に前記グレードを決定することを特徴とする。
【００１４】
この発明によれば、楽曲情報の配信の開始からより早く第１位を獲得するほどグレードが高くなる一方、より多くの利用者に歌われた中で第１位を獲得するほどグレードが高くなるので、どのようにしてグレードを上げるかによって楽曲の選び方や楽曲再生装置の利用時期等を決めるなどの戦略を利用者が働かせる等ことにより、より興趣を向上させることができる。
【００１５】
請求項５に記載の発明は、請求項１乃至４の何れか１項に記載の情報提供装置において、前記データベースには、各楽曲における前記選手権保持者の採点情報及び各当該選手権保持者に付与された前記グレードを示すグレード情報が、夫々当該各楽曲の前記楽曲識別情報と、当該各選手権保持者と認定された利用者を識別するための利用者識別情報と対応付けて判別可能に登録されており、前記採点情報受信手段は、前記楽曲識別情報、前記採点情報及び前記楽曲再生装置の前記利用者の前記利用者識別情報を当該楽曲再生装置から受信し、前記変更登録手段は、前記新たな選手権保持者の採点情報と、前記グレード決定手段により決定された前記グレード情報とを、前記受信された楽曲識別情報及び利用者識別情報と対応付けて前記データベースに変更登録し、端末装置から通信手段を介して送信された前記利用者識別情報を受信する利用者識別情報受信手段と、前記受信された前記利用者識別情報に対応して前記データベースに登録されている前記グレード情報及び前記楽曲識別情報に基づいて、当該利用者識別情報が示す利用者の楽曲毎のグレード報知情報を、前記利用者識別情報を送信してきた前記前記端末装置に送信する第２グレード報知情報送信手段と、を更に備えることを特徴とする。
【００１６】
この発明によれば、利用者は、自分が現在第１位になっている楽曲についてのグレードを端末装置を利用して知ることができる。
【００１７】
請求項６に記載の発明は、請求項５に記載の情報提供装置において、前記データベースには、前記利用者が前記楽曲再生装置を利用する本拠地を示す本拠地情報が、当該利用者の前記利用者識別情報と対応付けて登録されており、前記採点情報受信手段は、前記楽曲識別情報、前記採点情報、前記利用者識別情報及び前記楽曲再生装置が設置されている場所を示す設置場所情報を当該楽曲再生装置から受信し、前記受信された利用者識別情報に対応して前記データベースに登録されている前記本拠地情報が示す本拠地と、前記受信された設置場所情報が示す設置場所と、を比較する場所比較手段を更に備え、前記グレード決定手段は、前記予め定められた基準に前記場所比較手段による比較結果を加味して前記グレードを決定することを特徴とする。
【００１８】
この発明によれば、利用者の本拠地と楽曲再生装置の設置場所との比較結果によって、付与されるグレードが異なる場合があるので、利用者が選手権保持者に認定されたときのグレードに対する期待感を高めることができる。
【００１９】
請求項７に記載の発明は、請求項５または請求項６に記載の情報提供装置において、前記データベースには、前記楽曲情報が対応する楽曲の属性を示す属性情報が、当該楽曲の前記楽曲識別情報と対応付けて登録されており、前記選手権保持者更新手段は、前記採点情報受信手段により受信された前記楽曲識別情報が示す楽曲と前記属性情報が一致する楽曲の前記楽曲識別情報に対応して、前記データベースに前記選手権保持者として登録されている前記利用者識別情報のうち、前記採点情報受信手段により受信された前記利用者識別情報と同一の前記利用者識別情報が登録されている数が最も多い場合には、当該利用者識別情報が示す利用者を、当該属性情報が示す属性における歌唱の選手権保持者と認定する第２選手権保持者認定手段を更に備え、前記グレード報知情報送信手段は、前記グレード報知情報と、前記採点情報を送信してきた前記楽曲再生装置の前記利用者が、前記属性における歌唱の選手権保持者と認定されていることを示し、且つ、当該利用者に対して報知すべき属性選手権保持者報知情報と、を送信する。
【００２０】
この発明によれば、属性が一致する楽曲のうち第１位を獲得した楽曲の数が最も多い利用者が、当該属性における歌唱の選手権保持者と認定されるので、同じ属性を有する楽曲をより多く一番上手に歌った利用者が高い評価を受けることができる。
【００２１】
請求項８に記載の発明は、請求項７に記載の情報提供装置において、前記データベースには、前記属性情報として、楽曲のジャンルを示すジャンル情報または楽曲のアーティストを示すアーティスト情報の少なくとも何れか一方が、当該楽曲の前記楽曲識別情報と対応付けて登録されていることを特徴とする。
【００２２】
この発明によれば、特定のアーティストまたはジャンルの楽曲をよく歌う利用者や好きな利用者等のうち、どの利用者が当該アーティストまたはジャンルについて一番歌唱力があるかということを競わせることができる。
【００２３】
請求項９に記載の発明は、請求項７または請求項８に記載の情報提供装置において、前記選手権保持者更新手段は、予め定められた基準に基づいて、前記第２選手権保持者決定手段により認定された前記属性における歌唱の選手権保持者に対して付与される前記グレードを決定する第２グレード決定手段と、前記第２グレード決定手段により決定された前記グレードを示すグレード情報を、前記第２選手権保持者決定手段により前記属性における歌唱の選手権保持者と認定された利用者の前記利用者識別情報と、当該属性を識別するための属性識別情報と、に対応付けて前記データベースに登録するグレード情報登録手段と、を更に備え、前記属性選手権保持者報知情報は、前記採点情報を送信してきた前記楽曲再生装置の前記利用者が前記第２グレード決定手段により決定されたグレードを付与された前記属性における歌唱の選手権保持者と認定されていることを示すことを特徴とする。
【００２４】
この発明によれば、何らかの属性における歌唱の選手権保持者となった利用者が、選手権保持者としての自分に対する評価の高低を知ることができる。
【００２５】
請求項１０に記載の発明は、請求項５乃至９の何れか１項に記載の情報提供装置において、前記データベースには、前記利用者の電子メールアドレスが、当該利用者の前記利用者識別情報と対応付けて登録されており、前記選手権保持者更新手段は、前記採点情報受信手段により受信された前記楽曲識別情報に対応付けて前記変更登録手段による前記変更登録の前に前記データベースに登録されていた前記利用者識別情報に対応する前記電子メールアドレスを特定し、当該特定された電子メールアドレス宛に、前記選手権保持者ではなくなった旨を通知する電子メールを通信手段を介して送信するメール送信手段を更に備えることを特徴とする。
【００２６】
この発明によれば、端末装置等を用いて電子メールを受信することにより、対象の楽曲について今まで第１位であった利用者が、第１位ではなくなったことを知ることができるので、再度第１位を獲得するために当該楽曲を歌おうとする動機付けを利用者に対して与え、これにより、楽曲再生装置の利用を促進することができる。
【００２７】
請求項１１に記載の発明は、請求項１乃至１０の何れか１項に記載の情報提供装置と通信手段を介して通信可能な楽曲再生装置であって、利用者によって選択された楽曲に対応する前記楽曲情報を再生する楽曲再生手段と、利用者が発した歌唱音声を入力する音声入力手段と、前記入力された歌唱音声に基づいて、前記採点情報を生成する採点情報生成手段と、前記生成された採点情報と、前記選択された楽曲の前記楽曲識別情報と、を前記情報提供装置に送信する採点情報送信手段と、前記情報提供装置から送信された前記グレード報知情報を受信するグレード報知情報受信手段と、前記受信されたグレード報知情報に基づいて、利用者が前記グレード決定手段により決定されたグレード情報を付与された前記選手権保持者と認定されていることを報知する報知手段と、を備えることを特徴とする。
【００２８】
請求項１２に記載の発明は、楽曲の歌唱の伴奏に用いられる楽曲情報を再生し且つ当該伴奏によって利用者が発した歌唱音声に基づいて歌唱力の採点結果を示す採点情報を生成する楽曲再生装置と通信手段を介して通信可能な情報提供装置であって、同一の楽曲において歌唱力の採点結果が最も良い第１位の前記利用者の前記採点情報を、当該楽曲における歌唱の選手権保持者の前記採点情報として、当該楽曲を識別するための楽曲識別情報と対応付けて判別可能に登録しておくデータベースを備える情報提供装置における情報提供方法であって、前記利用者によって選択された楽曲の前記楽曲識別情報と、当該楽曲を当該利用者が歌唱することによって前記楽曲再生装置により生成された前記採点情報と、を前記楽曲再生装置から受信する採点情報受信工程と、前記受信された採点情報が、前記受信された楽曲識別情報に対応して前記データベースに登録されている前記選手権保持者の採点情報と比較して、より良い採点結果を示すか否かを判定する比較判定工程と、前記受信された採点情報がより良い採点結果を示す場合には、当該採点情報を送信してきた前記楽曲再生装置の利用者を、新たな前記選手権保持者と認定する選手権保持者認定工程と、新たな前記選手権保持者が認定された場合には、前記選手権保持者の更新を行う選手権保持者更新工程と、を備え、前記選手権保持者更新工程は、前記受信された採点情報を、新たな前記選手権保持者の採点情報として、前記受信された楽曲識別情報に対応付けて前記データベースに変更登録する変更登録工程と、予め定められた基準に基づいて、前記選手権保持者としての評価の高低を示し且つ前記認定された選手権保持者に対して付与されるグレードを決定するグレード決定手工程と、前記採点情報を送信してきた前記楽曲再生装置の前記利用者が前記決定されたグレードを付与された前記選手権保持者と認定されていることを示し、且つ、当該利用者に対して報知すべきグレード報知情報を、当該楽曲再生装置に送信するグレード報知情報送信工程と、を備えることを特徴とする。
【００２９】
請求項１３に記載の発明は、楽曲の歌唱の伴奏に用いられる楽曲情報を再生し且つ当該伴奏によって利用者が発した歌唱音声に基づいて歌唱力の採点結果を示す採点情報を生成する楽曲再生装置と通信手段を介して通信可能な情報提供装置であって、同一の楽曲において歌唱力の採点結果が最も良い第１位の前記利用者の前記採点情報を、当該楽曲における歌唱の選手権保持者の前記採点情報として、当該楽曲を識別するための楽曲識別情報と対応付けて判別可能に登録しておくデータベースを備える情報提供装置に含まれるコンピュータを、前記利用者によって選択された楽曲の前記楽曲識別情報と、当該楽曲を当該利用者が歌唱することによって前記楽曲再生装置により生成された前記採点情報と、を前記楽曲再生装置から受信する採点情報受信手段、前記受信された採点情報が、前記受信された楽曲識別情報に対応して前記データベースに登録されている前記選手権保持者の採点情報と比較して、より良い採点結果を示すか否かを判定する比較判定手段、前記受信された採点情報がより良い採点結果を示す場合には、当該採点情報を送信してきた前記楽曲再生装置の利用者を、新たな前記選手権保持者と認定する選手権保持者認定手段、新たな前記選手権保持者が認定された場合には、前記選手権保持者の更新を行う選手権保持者更新手段、として機能させ、前記選手権保持者更新手段として機能する前記コンピュータを、前記受信された採点情報を、新たな前記選手権保持者の採点情報として、前記受信された楽曲識別情報に対応付けて前記データベースに変更登録する変更登録手段、予め定められた基準に基づいて、前記選手権保持者としての評価の高低を示し且つ前記認定された選手権保持者に対して付与されるグレードを決定するグレード決定手段、前記採点情報を送信してきた前記楽曲再生装置の前記利用者が前記決定されたグレードを付与された前記選手権保持者と認定されていることを示し、且つ、当該利用者に対して報知すべきグレード報知情報を、当該楽曲再生装置に送信するグレード報知情報送信手段、として機能させることを特徴とする。
【発明の効果】
【００３０】
本発明によれば、歌唱力で第１位を獲得した利用者が、楽曲再生装置により報知されたグレードによって、選手権保持者としての自分に対する評価の高低を知ることができるので、歌唱力の採点についての興趣を向上させることができる。
【発明を実施するための最良の形態】
【００３１】
以下、図面を参照して本発明の最良の実施形態について詳細に説明する。なお、以下に説明する実施の形態は、カラオケシステムに対して本発明を適用した場合の実施形態である。
【００３２】
［１．第１実施形態］
［１．１  カラオケシステムの構成及び機能概要］
先ず、本実施形態に係るカラオケシステムＳの構成及び機能概要について、図１を用いて説明する。
【００３３】
図１は、第１実施形態に係るカラオケシステムＳの概要構成の一例を示す図である。
【００３４】
図１に示すように、カラオケシステムＳは、情報提供装置の一例としてのカラオケサーバＳＡと、カラオケボックスや宿泊施設等の各店舗に設置された楽曲再生装置の一例としての複数のカラオケ装置Ｃｎ（ｎ＝１１、１２・・・）と、カラオケ装置Ｃｎの利用者に貸与され、カラオケ装置Ｃｎの遠隔操作等に用いられる端末装置の一例としての複数の電子早見本装置Ｂｍ（ｍ＝１１、１２・・・）と、端末装置の他の一例としての複数のユーザ端末Ｔｉ（ｉ＝１、２・・・）と、を含んで構成されている。
【００３５】
各カラオケ装置Ｃｎは、店舗毎に、ＬＡＮ（Local Area Network）及び回線終端装置Ｄｊ（ｊ＝１、２・・・）を介して、通信手段の一例としてのネットワークＮＷに接続されている。そして、カラオケ装置Ｃｎと、カラオケサーバＳＡとは、ネットワークＮＷを介して相互にデータの送受信が可能（例えば、通信プロトコルにＴＣＰ／ＩＰ（Transmission Control Protocol/Internet Protocol）を用いて、相互にデータの送受信が可能）になっている。なお、ネットワークＮＷは、例えば、インターネット、専用通信回線（例えば、ＣＡＴＶ（Community Antenna Television）回線）、移動体通信網（無線基地局等を含む）、及びゲートウェイ等により構築されている。
【００３６】
電子早見本装置Ｂｍは、各店舗に設置されたアクセスポイントＡｋ（ｋ＝１、２・・・）及びＬＡＮを介してカラオケ装置Ｃｎと接続し、当該カラオケ装置Ｃｎと通信可能になっている。また、電子早見本装置Ｂｍは、更に、ネットワークＮＷを介してカラオケサーバＳＡと接続し、当該カラオケサーバＳＡと通信可能になっている。
【００３７】
また、ユーザ端末Ｔｉは、利用者が所有している端末装置であり、ネットワークＮＷを介してカラオケサーバＳＡと接続し、当該カラオケサーバＳＡと通信可能になっている。なお、ユーザ端末Ｔｉは、例えば、パーソナルコンピュータ、ＰＤＡ（Personal Digital Assistant）、ＳＴＢ（Set Top Box）、携帯電話機等を適用することができる。
【００３８】
上述した構成を有するカラオケシステムＳにおいては、利用者が電子早見本装置Ｂｍを操作して選曲を行うと、選曲されたカラオケ曲（楽曲の一例。以下、単に「曲」ともいう）の伴奏処理をカラオケ装置Ｃｎが行うようになっている。そして、利用者が、カラオケ装置Ｃｎによる伴奏に合わせて曲を歌うと、当該曲における歌唱力の採点処理がカラオケ装置Ｃｎにより行われ、この採点結果を示すスコア（採点情報の一例）がカラオケ装置Ｃｎの画面に表示されるようになっている。このとき、画面には、歌った曲におけるスコアを基準とした利用者の全国順位（ランキング）も表示されるようになっている。
【００３９】
また、本実施形態においては、全国順位が１位になった利用者は、歌った曲における選手権保持者の一例としてのカラオケチャンピオン（以下、単に「チャンピオン」ともいう）と認定され、カラオケ装置Ｃｎの画面に、チャンピオンになることによって利用者が獲得したチャンピオンベルトが表示されるようになっている。このチャンピオンベルトは、チャンピオンに対する評価に応じて、プラチナ、ゴールド、シルバー、スチール、プラスチックの５段階のベルトのグレード（グレード情報の一例）に区分されており、この順で、チャンピオンに対する評価が高くなっている。すなわち、プラチナが、チャンピオンに対する評価が最も高く、プラスチックが、チャンピオンに対する評価が最も低くなっている。
【００４０】
これら５段階のグレードのうち、どのグレードのチャンピオンベルトがチャンピオンに対して付与されるかは、曲の配信が開始された日（利用者による選曲が可能となって、選曲された曲に対応する楽曲データが、カラオケサーバＳＡからカラオケ装置Ｃｎに配信され、カラオケ装置Ｃｎにおいてが演奏可能となる日。以下、「配信開始日」という）から、利用者が当該曲を歌って全国順位が１位となった日までの日数を基準として決定されるようになっている。具体的には、配信開始日からの日数が短いほどグレードが高くなっている。つまり、曲の配信開始から短期間でその曲をいち早くマスターした利用者（カラオケチャンピオン）に対して、高い評価を与えるのである。このようにして決定されたグレードは、チャンピオンベルトが表示される際における当該ベルトの色彩の違い等によって、利用者により判別可能となっている。
【００４１】
また、カラオケチャンピオンは、曲毎だけではなく、アーティスト毎及び曲のジャンル毎にも付与されるようになっている。具体的には、一のアーティスト（歌手、演奏家）について全国順位が１位である曲が多い利用者（保有するチャンピオンベルトの数が多い利用者）が、当該アーティストにおけるカラオケチャンピオンと認定され、一のジャンル（例えば、ポップス、演歌、ロック、バラード等）について全国順位が１位である曲が多い利用者が、当該ジャンルにおけるカラオケチャンピオンと認定される。そして、ジャンル別におけるチャンピオンベルトの数が最も多い利用者は、総合のカラオケチャンピオンと認定されるようになっている。なお、以下の説明においては、楽曲毎、アーティスト毎、ジャンル毎、総合の夫々のカラオケチャンピオンを、夫々楽曲チャンピオン、アーティストチャンピオン、ジャンルチャンピオン、総合チャンピオンともいう。
【００４２】
更に、本実施形態においては、利用者は、電子早見本装置Ｂｍやユーザ端末Ｔｉを操作して、当該システムのユーザ登録を行うことができるようになっている。このユーザ登録を行うことにより、利用者は、電子早見本装置Ｂｍやユーザ端末Ｔｉを用いて、お気に入りの曲の登録を行ったり、今までに歌った曲の履歴、スコア、チャンピオンベルトの保有状況等の情報を閲覧することができる。
【００４３】
［１．２  カラオケサーバの構成及び機能等］
次に、カラオケサーバＳＡの構成及び機能について、図２乃至図４を用いて説明する。
【００４４】
図２は、第１実施形態に係るカラオケサーバＳＡの構成の概要例を示すブロック図である。また、図３は、ユーザＤＢ１０２におけるデータ構造の一例を示す図である。また、図４は、ランキングＤＢ１０３におけるデータ構造の一例を示す図である。
【００４５】
図２に示すように、カラオケサーバＳＡは、ネットワークＮＷに接続して、カラオケ装置Ｃｎ、電子早見本装置Ｂｍ及びユーザ端末Ｔｉとの通信を制御する通信部１１と、各種プログラム及びデータ等を記憶するとともに、各種データベースが構築されている記憶部１２（例えば、ハードディスクドライブ等）と、ＣＰＵ（Central Processing Unit）、ＲＡＭ（Random Access Memory）、ＲＯＭ（Read Only Memory）等を備える採点情報受信手段、比較判定手段、選手権保持者認定手段、選手権保持者更新手段、変更登録手段、グレード決定手段、グレード報知情報送信手段、利用者識別情報受信手段、第２グレード報知情報送信手段、第２選手権保持者認定手段、グレード情報登録手段、順位決定手段及びメール送信手段の一例としてのシステム制御部１３と、を備え、システム制御部１３と各部とはシステムバス１４を介して相互に接続されている。
【００４６】
記憶部１２には、楽曲ＤＢ（DataBase）１０１、ユーザＤＢ１０２及びランキングＤＢが構築されている。
【００４７】
先ず、楽曲ＤＢ１０１には、多数のカラオケ曲に関するデータ登録されている。具体的に、楽曲ＤＢ１０１には、カラオケ曲毎に、伴奏に用いられる演奏データ（楽曲情報の一例）、当該演奏データの再生の際にカラオケ装置Ｃｎの画面に表示される映像データ、歌詞データ、楽曲詳細情報等が、カラオケ曲を識別するための曲番号（楽曲識別情報の一例）に対応付けて登録されている。
【００４８】
楽曲詳細情報には、例えば、当該曲のアーティストを識別するためのアーティストＩＤ（Identify）（アーティスト情報の一例）、当該曲のジャンルを識別するためのジャンルＩＤ（ジャンル情報の一例）、配信開始日、採点人数（順位決定手段により順位が決定された回数の一例）、歌年齢等が設定されている。
【００４９】
ここで、採点人数は、当該曲について歌唱力の採点を行い、全国順位の順位付けを行った回数である。また、歌年齢は、当該曲をよく歌う利用者の年齢を示す情報であり、初期値としては、例えば、その曲のアーティストの年齢が設定され、利用者によって歌われる毎にその利用者の年齢に応じて更新される（歌った利用者の年齢が歌年齢よりも高い場合には当該歌年齢が上昇し、歌った利用者の年齢が歌年齢よりも低い場合には当該歌年齢が下降する）。
【００５０】
次に、ユーザＤＢ１０２には、ユーザ登録された各利用者に関するデータが登録されている。具体的に、ユーザＤＢ１０２には、図３に示すように、各利用者毎に、ユーザ情報及び採点履歴情報等が、利用者を識別するためのユーザＩＤ（利用者識別情報の一例）に対応付けて登録されている。
【００５１】
ここで、ユーザ情報は、ユーザ登録時に利用者によって登録された各利用者固有の情報であり、例えば、パスワード、ニックネーム、メールアドレス、性別、生年月日等が設定される。また、採点履歴情報は、これまでの利用者の歌った曲についての採点結果の履歴を示す情報であり、例えば、採点日時（歌った日時）、選曲された曲の曲番号、スコア等が、採点順に昇順で付与される採点ＮＯ（Number）に対応付けて登録されている。
【００５２】
次に、ランキングＤＢ１０３には、図４に示すように、ランキング情報、アーティストチャンピオン情報、ジャンルチャンピオン情報、総合チャンピオン情報等が登録されている。
【００５３】
ここで、ランキング情報は、各カラオケ曲毎の全国順位に関する情報であり、各楽曲の曲番号に対応付けて、例えば、各順位の利用者のユーザＩＤ、スコア等が、その順位を判別可能にして登録されている。また、１位については、楽曲チャンピオンに関する情報として、獲得したチャンピオンベルトのグレード、防衛回数等も登録されている。この防衛回数は、現在のチャンピオンが当該チャンピオンの座を防衛した回数を示し、同一の曲が歌われることによって採点されたスコアが現在のチャンピオンのスコアを上回らなかったときに、現在のチャンピオンが勝利したとして、１増加する。
【００５４】
また、アーティストチャンピオン情報は、アーティストチャンピオンに関する情報であり、各アーティストのアーティストＩＤに対応付けて、アーティストチャンピオンのユーザＩＤ、チャンピオンベルトのグレード、ベルト保有数等が登録されている。このベルト保有数は、現在のアーティストチャンピオンが、当該アーティストについて１位となっている曲数である。
【００５５】
また、ジャンルチャンピオン情報は、ジャンルチャンピオンに関する情報である。各ジャンルのジャンルＩＤに対応付けて、ジャンルチャンピオンのユーザＩＤ、チャンピオンベルトのグレード、ベルト保有数等が登録されている。このベルト保有数は、現在のジャンルチャンピオンが、当該ジャンルについて１位となっている曲数である。
【００５６】
また、総合チャンピオン情報は、総合チャンピオンに関する情報であり、総合チャンピオンのユーザＩＤ及びベルト保有数等が登録されている。このベルト保有は、現在の総合チャンピオンがジャンルチャンピオンになっている数（ジャンルチャンピオンのベルト保有する）を示している。
【００５７】
更に、記憶部１２には、所定のオペレーティングシステム、情報提供処理プログラム等が記憶されている。
【００５８】
システム制御部１３は、ＣＰＵが、ＲＯＭや記憶部１２に記憶された各種プログラムを読み出し実行することにより当該サーバ全体を制御するとともに、採点情報受信手段、比較判定手段、選手権保持者認定手段、選手権保持者更新手段、変更登録手段、グレード決定手段、グレード報知情報送信手段、利用者識別情報受信手段、第２グレード報知情報送信手段、第２選手権保持者認定手段、グレード情報登録手段、順位決定手段及びメール送信手段等として機能するようになっている。
【００５９】
例えば、システム制御部１３は、カラオケ装置Ｃｎからの配信リクエストに応じて、当該リクエストに設定されている曲番号に対応する演奏データ、映像データ、歌詞データ、楽曲詳細情報等を楽曲ＤＢ１０１から読み出し、カラオケ装置Ｃｎに送信（配信）する。
【００６０】
また、システム制御部１３は、カラオケ装置Ｃｎから、選曲された曲の曲番号、歌った利用者のユーザＩＤ、スコア等を含む採点結果情報を受信すると、これらの情報に基づいて全国順位を更新するようになっている。その結果、楽曲チャンピオン（１位）が入れ替わると、システム制御部１３は、当該チャンピオンに付与されるベルトのグレードを決定して、楽曲チャンピオンを更新するとともに、当該チャンピオンのベルト保有数等に応じて、アーティストチャンピオン情報、ジャンルチャンピオン情報及び総合チャンピオン情報を更新するようになっている。そして、システム制御部１３は、利用者の全国順位等とともに、楽曲チャンピオン、アーティストチャンピオン、ジャンルチャンピオンまたは総合チャンピオンが入れ替わった場合には、利用者がチャンピオンと認定された旨及び付与されるベルトのグレード等を示すベルト情報（グレード報知情報、属性選手権保持者報知情報の一例）を含む全国順位表示用情報をカラオケ装置Ｃｎに送信するようになっている。
【００６１】
このベルト情報には、楽曲チャンピオンのベルトのグレード、利用者がアーティストチャンピオンになった場合には当該アーティストのアーティストＩＤ及びグレード、利用者がジャンルチャンピオンになった場合には当該ジャンルのジャンルＩＤ及びグレード、利用者が総合チャンピオンになった場合にはその旨を示すフラグ情報等が含まれている。
【００６２】
また、システム制御部１３は、電子早見本装置Ｂｍやユーザ端末Ｔｉからのリクエストに応じて、利用者が保有するチャンピオンベルトに関するベルト保有状況情報（グレード報知情報の一例）を送信するようになっている。
【００６３】
なお、各種プログラム等は、例えば、他のサーバからダウンロードされるようにしても良いし、ＣＤ−ＲＯＭ等の記録媒体に記録されてドライブを介して読み込まれるようにしても良い。
【００６４】
［１．３  カラオケ装置の構成及び機能等］
次に、カラオケ装置Ｃｎの構成及び機能について、図５を用いて説明する。
【００６５】
図５は、第１実施形態に係るカラオケ装置Ｃｎの構成の概要例を示すブロック図である。
【００６６】
図５に示すように、カラオケ装置Ｃｎは、ＬＡＮに接続して、カラオケサーバＳＡ及び電子早見本装置Ｂｍとの通信を制御する通信部２１と、映像データ、歌詞データ等に対して描画処理を施す映像処理部２２と、映像処理部２２の描画処理によって出力された映像等を画面に表示する表示部２３（例えば、ＣＲＴ（Cathode Ray Tube）、液晶ディスプレイ等）と、を備えている。
【００６７】
また、カラオケ装置Ｃｎは、シンセサイザ等により構成され、演奏データに基づいて楽器演奏の音声信号を生成する音声処理部２４と、利用者の歌唱音声を音声信号として入力する音声入力手段の一例としてのマイクロフォン２５と、音声処理部２４により生成された音声信号とマイクロフォン２５により入力された音声信号とを合成して音声出力信号を生成するミキシングアンプ２６と、ミキシングアンプ２６により生成された音声出力信号を音波として出力するスピーカ２７と、を備えている。このとき、音声処理部２４及びミキシングアンプ２６は、楽曲再生手段の一例を構成する。
【００６８】
更に、カラオケ装置Ｃｎは、マイクロフォン２５により入力された音声信号をアナログ信号からデジタル信号に変換するＡ／Ｄ（Analog/Digital）コンバータ２８と、音声処理部２４により生成された音声信号とＡ／Ｄコンバータ２８によりデジタル信号に変換された音声信号とに基づいて、採点処理を行い、利用者の歌唱力に対するスコアを生成する採点結果情報生成手段の一例としての歌唱採点部２９と、を備えている。
【００６９】
また更に、カラオケ装置Ｃｎは、各種プログラム及びデータ等を記憶する記憶部３０（例えば、ハードディスクドライブ等）と、ＣＰＵ、ＲＡＭ、ＲＯＭ等を備える採点結果情報送信手段、グレード報知情報受信手段、報知手段の一例としてのシステム制御部３１と、を備え、システム制御部３１と、通信部２１、映像処理部２２、音声処理部２４、Ａ／Ｄコンバータ２８、歌唱採点部２９、記憶部３０とは、システムバス３２を介して相互に接続されている。
【００７０】
システム制御部３１は、ＣＰＵが、ＲＯＭや記憶部３０に記憶された各種プログラムを読み出し実行することにより当該装置全体を制御するとともに、採点結果情報送信手段、グレード報知情報受信手段、報知手段等として機能するようになっている。
【００７１】
例えば、システム制御部３１は、利用者の選曲操作によって電子早見本装置Ｂｍから送信された選曲リクエストを受信すると、当該リクエストに対応する演奏データ、映像データ、歌詞データ、楽曲詳細情報等をカラオケサーバＳＡからダウンロード（受信）し、音声処理部２４、映像処理装置２２等を制御して、演奏データの再生、映像データ及び歌詞データの再生等を行わせるようになっている。
【００７２】
また、システム制御部３１は、歌唱採点部２９によりスコアが生成されると、当該スコアを表示部２３に表示させるとともに、当該スコアを含む採点結果情報をカラオケサーバＳＡに送信するようになっている。そして、システム制御部３１は、採点結果情報の送信に対応してカラオケサーバＳＡから送信されてきた全国順位表示用情報に基づいて、今歌われた曲についての利用者の全国順位や、当該利用者がチャンピオンになった場合にはその旨の情報等を表示部２３に表示させるようになっている。
【００７３】
なお、各種プログラム等は、例えば、カラオケサーバＳＡ等からダウンロードされるようにしても良いし、ＣＤ−ＲＯＭ等の記録媒体に記録されてドライブを介して読み込まれるようにしても良い。
【００７４】
［１．４  カラオケシステムの動作］
次に、カラオケシステムＳの動作について説明する。
【００７５】
［１．４．１  カラオケチャンピオン更新時の動作］
はじめに、歌唱力の採点結果に基づいて全国順位及びカラオケチャンピオンを更新する場合の処理について、図６乃至図９を用いて説明する。
【００７６】
図６は、第１実施形態に係るカラオケシステムＳのカラオケチャンピオン更新時における処理例を示すフローチャートである。また、図７（ａ）は、第１実施形態に係るカラオケサーバＳＡのシステム制御部１３におけるグレード決定処理の処理例を示すフローチャートであり、図７（ｂ）は、配信開始日からの日数とグレードの対応関係の一例を示す図である。また、図８は、第１実施形態に係るカラオケサーバＳＡのシステム制御部１３におけるカテゴリー別チャンピオン更新処理の処理例を示すフローチャートである。また、図９は、全国順位表示画面５０の表示例を示す図である。
【００７７】
先ず、利用者の選曲操作に基づいてカラオケ装置Ｃｎにおいて演奏データの再生処理が行われた後、図６に示すように、カラオケ装置Ｃｎのシステム制御部３１は、歌唱採点部２９に採点処理を実行させる（ステップＳ１１）。この採点処理が終了すると、システム制御部３１は、歌唱採点部２９から出力されたスコアと、選曲された曲の選曲番号と、利用者によって予め登録され、記憶部３０等に記憶されている当該利用者のユーザＩＤとを含む採点結果情報をカラオケサーバＳＡに送信するとともに（ステップＳ１２）、選曲されたカラオケ曲の曲名とスコアとを、夫々図９の符号５１、５２に示すように表示部２３に表示させる（ステップＳ１３）。
【００７８】
一方、採点結果情報を受信したカラオケサーバＳＡのシステム制御部１３は（ステップＳ３１）、採点結果情報に基づいて採点履歴情報を更新すると、採点結果情報に含まれる曲番号（以下、「選曲番号」という）に対応して楽曲ＤＢ１０１に登録されている楽曲詳細情報の採点人数に１加算して、当該採点人数を更新する（ステップＳ３２）。
【００７９】
次いで、システム制御部１３は、利用者の全国順位を決定する（ステップＳ３３）。具体的に、システム制御部１３は、選曲番号に対応してランキングＤＢ１０３に登録されている１位のスコアから最下位までのスコアと、採点結果情報に含まれるスコア（以下、「採点スコア」という）とを順次比較する。そして、システム制御部１３は、採点スコアが比較対象のスコアよりも高い場合（採点結果が良い場合）には、比較対象のスコアの順位を利用者の全国順位として決定する。
【００８０】
次いで、システム制御部１３は、利用者の全国順位は１位であるか否かを判別する（ステップＳ３４）。ここでシステム制御部１３は、１位ではないと判別した場合には（ステップＳ３４：ＮＯ）、ステップＳ３６に移行する。
【００８１】
一方、システム制御部１３は、利用者の全国順位は１位である場合、すなわち、利用者のスコアが現楽曲チャンピオンのスコアよりも高い場合には（ステップＳ３４：ＹＥＳ）、次いで、採点スコアが８０点以上であるか否かを判定する（ステップＳ３５）。ここで、システム制御部１３は、採点スコアが８０点以上ではない場合には（ステップＳ３５：ＮＯ）、ステップＳ３６に移行する。
【００８２】
ステップＳ３６において、システム制御部１３は、ランキング情報を更新する。具体的に、システム制御部１３は、選曲番号に対応するランキング情報として、採点結果情報に含まれるユーザＩＤ（以下、「採点ユーザＩＤ」という）及び採点スコアを当該順位に対応付けてランキングＤＢ１０３に変更登録するとともに、選曲番号に対応して登録されている楽曲チャンピオンの防衛回数に１加算して、当該防衛回数を更新する。次いで、システム制御部１３は、決定された全国順位を含む全国順位表示用情報をカラオケ装置Ｃｎに送信して（ステップＳ３７）、処理を終了させる。
【００８３】
一方、システム制御部１３は、ステップＳ３５において採点スコアが８０点以上である場合には（ステップＳ３５：ＹＥＳ）、利用者を新たな楽曲チャンピオンと認定する。つまり、システム制御部１３は、全国順位が１位であってて採点スコアが８０点以上である場合にのみチャンピオンベルトを付与するに値すると判定するのである。次いで、システム制御部１３は、採点ユーザＩＤと選曲番号に対応するランキング情報の１位のユーザＩＤとが一致する否かを判定する（ステップＳ３８）。ここで、システム制御部１３は、採点ユーザＩＤとランキング情報の１位のユーザＩＤとが一致する場合には（ステップＳ３８：ＹＥＳ）、ステップＳ４０に移行する。
【００８４】
一方、システム制御部１３は、採点ユーザＩＤとランキング情報の１位のユーザＩＤとが一致しない場合には（ステップＳ３８：ＮＯ）、１位のユーザＩＤに対応してユーザＤＢ１０２に登録されいているユーザ情報から、現在の楽曲チャンピオンのメールアドレスを取得し、当該メールアドレス宛に、チャンピオンベルトが奪取されたことを通知する通知メールをネットワークＮＷを介して送信して（ステップＳ３９）、ステップＳ４０に移行する。
【００８５】
ステップＳ４０において、システム制御部１３は、グレード決定処理を実行する。このグレード決定処理において、システム制御部１３は、図７（ａ）に示すように、選曲番号に対応して楽曲ＤＢ１０１に登録されている楽曲詳細情報から配信開始日を取得すると（ステップＳ５１）、当該配信開始日から今日までの日数に応じてグレードを決定する（ステップＳ５２）。具体的に、システム制御部１３は、図７（ｂ）に示すように、日数が０日から２週間以下の日数範囲内にある場合には、グレードはプラチナと決定し、日数が２週間を越えて１ヶ月以下の日数範囲内にある場合には、グレードはゴールドと決定し、日数が１ヶ月を越えて２ヶ月以下の日数範囲内にある場合には、グレードはシルバーと決定し、日数が２ヶ月を越えて３ヶ月以下の日数範囲内にある場合には、グレードはスチールと決定し、日数が３ヶ月を越える日数範囲内にある場合には場合には、グレードはプラスチックと決定する。システム制御部１３は、この処理を終えると、グレード決定処理を終了させる。
【００８６】
システム制御部１３は、グレード決定処理を終了させると、次いで、ランキング情報を更新する（ステップＳ４１）。具体的に、システム制御部１３は、選曲番号に対応するランキング情報として、採点ユーザＩＤ採点スコアと、グレード決定処理において決定されたグレードとを、１位に対応付けてランキングＤＢ１０３に変更登録するとともに、選曲番号に対応して登録されている楽曲チャンピオンの防衛回数を０に初期化する。
【００８７】
次いで、システム制御部１３は、カテゴリー別チャンピオン更新処理を実行する（ステップＳ４２）。このチャンピオン更新処理において、システム制御部１３は、図８に示すように、選曲番号に対応して楽曲ＤＢ１０１に登録されている楽曲詳細情報からアーティストＩＤを取得すると（ステップＳ６１）、当該アーティストＩＤに対応するアーティストのカラオケ曲におけるベルト保有数を算出する（ステップＳ６２）。具体的に、システム制御部１３は、取得されたアーティストＩＤに対応する全ての曲の番号を取得し、当該曲番号に対応するランキング情報のうち、１位のユーザＩＤが、採点ユーザＩＤと一致する数を計数する。
【００８８】
次いで、システム制御部１３は、算出したベルト保有数が、取得されたアーティストＩＤに対応するアーティストチャンピオン情報のベルト保有数、すなわち、現アーティストチャンピオンのベルト保有数よりも多いか否かを判定する（ステップＳ６３）。ここで、システム制御部１３は、算出したベルト保有数が現アーティストチャンピオンのベルト保有数よりも多くはない場合には（ステップＳ６３：ＮＯ）、ステップＳ６８に移行する。
【００８９】
一方、システム制御部１３は、算出したベルト保有数が現アーティストチャンピオンのベルト保有数よりも多い場合には（ステップＳ６３：ＹＥＳ）、利用者を新たなアーティストチャンピオンと認定し、次いで、採点ユーザＩＤと取得されたアーティストＩＤに対応するアーティストチャンピオン情報のユーザＩＤとが一致する否かを判定する（ステップＳ６４）。ここで、システム制御部１３は、採点ユーザＩＤとアーティストチャンピオン情報のユーザＩＤとが一致する場合には（ステップＳ６４：ＹＥＳ）、ステップＳ６６に移行する。
【００９０】
一方、システム制御部１３は、採点ユーザＩＤとアーティストチャンピオン情報のユーザＩＤとが一致しない場合には（ステップＳ６４：ＮＯ）、現アーティストチャンピオンのメールアドレス宛に、チャンピオンベルトが奪取されたことを通知する通知メールをネットワークＮＷを介して送信して（ステップＳ６５）、ステップＳ６６に移行する。
【００９１】
ステップＳ６６において、システム制御部１３は、新たにアーティストチャンピオンとなった利用者に付与するベルトのグレードを決定する。具体的に、システム制御部１３は、取得されたアーティストＩＤに対応するアーティストのカラオケ曲について、利用者が保有している各チャンピオンベルトのグレードを平均して、アーティストチャンピオンのグレードを決定する。
【００９２】
次いで、システム制御部１３は、取得されたアーティストＩＤに対応するアーティストチャンピオン情報を更新する（ステップＳ６７）。具体的に、システム制御部１３は、採点ユーザＩＤと、決定されたグレードとを、取得されたアーティストＩＤに対応付けてランキングＤＢ１０３に変更登録する。システム制御部１３は、この処理を終えると、ステップＳ６８に移行する。
【００９３】
ステップＳ６８において、システム制御部１３は、選曲番号に対応して楽曲ＤＢ１０１に登録されている楽曲詳細情報からジャンルＩＤを取得すると、当該ジャンルＩＤに対応するジャンルのカラオケ曲において、利用者が１位となっている曲数を算出する（ステップＳ６９）。具体的に、システム制御部１３は、取得されたジャンルＩＤに対応する全ての曲の曲番号を取得し、当該曲番号に対応するランキング情報のうち、１位のユーザＩＤが、採点ユーザＩＤと一致する数を計数する。
【００９４】
次いで、システム制御部１３は、算出したベルト保有数が、取得されたジャンルＩＤに対応するジャンルチャンピオン情報のベルト保有数、すなわち、現ジャンルチャンピオンのベルト保有数よりも多いか否かを判定する（ステップＳ７０）。ここで、システム制御部１３は、算出したベルト保有数が現ジャンルチャンピオンのベルト保有数よりも多くはない場合には（ステップＳ７０：ＮＯ）、カテゴリー別チャンピオン更新処理を終了させる。
【００９５】
一方、システム制御部１３は、算出したベルト保有数が現ジャンルチャンピオンのベルト保有数よりも多い場合には（ステップＳ７０：ＹＥＳ）、利用者を新たなジャンルチャンピオンと認定し、次いで、採点ユーザＩＤと取得されたジャンルＩＤに対応するジャンルチャンピオン情報のユーザＩＤとが一致する否かを判定する（ステップＳ７１）。ここで、システム制御部１３は、採点ユーザＩＤとジャンルチャンピオン情報のユーザＩＤとが一致する場合には（ステップＳ７１：ＹＥＳ）、ステップＳ７３に移行する。
【００９６】
一方、システム制御部１３は、採点ユーザＩＤとジャンルチャンピオン情報のユーザＩＤとが一致しない場合には（ステップＳ７１：ＮＯ）、現ジャンルチャンピオンのメールアドレス宛に、チャンピオンベルトが奪取されたことを通知する通知メールをネットワークＮＷを介して送信して（ステップＳ７２）、ステップＳ７３に移行する。
【００９７】
ステップＳ７３において、システム制御部１３は、新たにジャンルチャンピオンとなった利用者に付与するベルトのグレードを決定する。具体的に、システム制御部１３は、取得されたジャンルＩＤに対応するジャンルのカラオケ曲について、利用者が保有している各チャンピオンベルトのグレードを平均して、ジャンルチャンピオンのグレードを決定する。
【００９８】
次いで、システム制御部１３は、取得されたジャンルＩＤに対応するジャンルチャンピオン情報を更新する（ステップＳ７４）。具体的に、システム制御部１３は、採点ユーザＩＤと、決定されたグレードとを、取得されたジャンルＩＤに対応付けてランキングＤＢ１０３に変更登録する。
【００９９】
次いで、システム制御部１３は、利用者のジャンルチャンピオンのベルト保有数を算出する（ステップＳ７５）。具体的に、システム制御部１３は、ランキングＤＢ１０３に登録されているジャンルチャンピオン情報のうち、採点ユーザＩＤと一致するユーザＩＤが登録されている数を計数する。次いで、システム制御部１３は、算出したベルト保有数が、総合チャンピオン情報のベルト保有数よりも多いか否かを判定する（ステップＳ７６）。ここで、システム制御部１３は、算出したベルト保有数が総合チャンピオン情報のベルト保有数よりも多くはない場合には（ステップＳ７６：ＮＯ）、カテゴリー別チャンピオン更新処理を終了させる。
【０１００】
一方、システム制御部１３は、算出したベルト保有数が総合チャンピオン情報のベルト保有数よりも多い場合には（ステップＳ７６：ＹＥＳ）、利用者を新たな総合チャンピオンと認定し、次いで、採点ユーザＩＤと総合チャンピオン情報のユーザＩＤとが一致する否かを判定する（ステップＳ７７）。ここで、システム制御部１３は、採点ユーザＩＤと総合チャンピオン情報のユーザＩＤとが一致する場合には（ステップＳ７７：ＹＥＳ）、ステップＳ７９に移行する。
【０１０１】
一方、システム制御部１３は、採点ユーザＩＤと総合チャンピオン情報のユーザＩＤとが一致しない場合には（ステップＳ７７：ＮＯ）、現総合チャンピオンのメールアドレス宛に、チャンピオンベルトが奪取されたことを通知する通知メールをネットワークＮＷを介して送信する（ステップＳ７８）。
【０１０２】
次いで、システム制御部１３は、採点ユーザＩＤと、算出されたベルト保有数とをランキングＤＢ１０３に変更登録して、総合チャンピオン情報を更新すると（ステップＳ７９）、カテゴリー別チャンピオン更新処理を終了させる。
【０１０３】
システム制御部１３は、カテゴリー別チャンピオン更新処理を終了させると、次いで、決定された全国順位とベルト情報とを含む全国順位表示用情報をカラオケ装置Ｃｎに送信して（ステップＳ４３）、処理を終了させる。
【０１０４】
一方、全国順位表示用情報を受信したカラオケ装置Ｃｎのシステム制御部３１は（ステップＳ１４）、当該全国順位表示用情報に含まれる全国順位と全国のランキングの情報等とを、夫々図９の符号５３、５４に示すように表示部２３に表示させる（ステップＳ１５）。
【０１０５】
次いで、システム制御部３１は、利用者の全国順位が１位であるか否かを判定し（ステップＳ１６）、１位ではない場合には（ステップＳ１６：ＮＯ）、処理を終了させる。
【０１０６】
一方、システム制御部３１は、利用者の全国順位が１位である場合には（ステップＳ１６：ＹＥＳ）、全国順位表示用情報のベルト情報に含まれる楽曲チャンピオンのベルトのグレードに応じたチャンピオンベルトの画像及び利用者が楽曲チャンピオンとなった旨のメッセージ等を、図９の符号５５に示すように表示部２３に表示させる（ステップＳ１７）。
【０１０７】
次いで、システム制御部３１は、ベルト情報に基づいて、利用者がカテゴリー別のチャンピオン（アーティストチャンピオン、ジャンルチャンピオンまたは総合チャンピオン）になったか否かを判別し（ステップＳ１８）、カテゴリー別のチャンピオンではない場合には（ステップＳ１８：ＮＯ）、処理を終了させる。
【０１０８】
一方、システム制御部３１は、利用者がカテゴリー別のチャンピオンになった場合には（ステップＳ１８：ＹＥＳ）、ベルト情報に基づいて、ベルト情報に含まれるアーティストチャンピオンのベルトのグレードやジャンルチャンピオンのベルトのグレードに応じたチャンピオンベルトの画像及び利用者が楽曲チャンピオンとなった旨のメッセージ等を、図９の符号５６に示すように表示部２３に表示させる。なお、利用者が総合チャンピオンとなった場合には、総合チャンピオンのベルトの画像及び利用者が総合チャンピオンとなった旨のメッセージ等も表示される。また、図９においては、便宜上、符号５５と符号５６に示すチャンピオンベルトの画像の色彩を同一としているが、実際には、夫々グレードに応じた色彩で画像が表示される。
【０１０９】
［１．４．２  ベルト保有状況確認時の動作］
次に、ベルト保有状況確認時における処理について、図１０及び図１１を用いて説明する。
【０１１０】
図１０は、第１実施形態に係るカラオケシステムＳのベルト保有状況確認時における処理例を示すフローチャートである。また、図１１は、ベルト保有状況確認画面６０の表示例を示す図である。
【０１１１】
先ず、利用者が電子早見本装置Ｂｍを操作して、ユーザＩＤ及びパスワードを入力すると（ステップＳ１０１）、電子早見本装置Ｂｍは、これらの情報を含むログインリクエストをカラオケサーバＳＡに送信する（ステップＳ１０２）。
【０１１２】
ログインリクエストを受信したカラオケサーバＳＡのシステム制御部１３は（ステップＳ１２１）、当該リクエストに含まれるユーザＩＤ及びパスワードを用いて認証処理を行った後、利用者に関する各種情報の登録や閲覧を行うためのマイルーム画面に用いられるマイルーム初期画面用情報を電子早見本装置Ｂｍに送信する（ステップＳ１２２）。
【０１１３】
マイルーム初期画面用情報を受信した電子早見本装置Ｂｍは（ステップＳ１０３）、当該情報に基づいて、マイルーム初期画面を画面に表示する（ステップＳ１０４）。ここで、利用者が電子早見本装置Ｂｍを操作して、ベルト保有状況の確認を選択すると、電子早見本装置Ｂｍは、ベルト保有状況リクエストをカラオケサーバＳＡに送信する（ステップＳ１０５）。
【０１１４】
ベルト保有状況リクエストを受信したカラオケサーバＳＡのシステム制御部１３は（ステップＳ１２３）、ランキング情報を参照して、１位のユーザＩＤがログインリクエストに含まれるユーザＩＤ（以下「リクエストユーザＩＤ」という）と一致するカラオケ曲を検索する（ステップＳ１２４）。
【０１１５】
次いで、システム制御部１３は、アーティストチャンピオン情報を参照して、アーティストチャンピオンのユーザＩＤがリクエストユーザＩＤと一致するアーティストを検索する（ステップＳ１２５）。
【０１１６】
次いで、システム制御部１３は、ジャンルチャンピオン情報を参照して、ジャンルチャンピオンのユーザＩＤがリクエストユーザＩＤと一致するジャンルを検索する（ステップＳ１２６）。
【０１１７】
次いで、システム制御部１３は、総合チャンピオンのユーザＩＤがリクエストユーザＩＤと一致するか否かを確認する（ステップＳ１２７）。
【０１１８】
次いで、システム制御部１３は、ステップＳ１２４〜Ｓ１２７における処理結果に基づいて、リクエストユーザＩＤが示す利用者のベルト保有状況情報（ベルトを保有しているカラオケ曲の曲番号、ベルトを保有しているアーティストのアーティストＩＤ、ベルトを保有しているジャンルのジャンルＩＤ、ベルトのグレード、総合チャンピオンであるか否か等の情報が含まれる）を、電子早見本装置Ｂｍに送信して（ステップＳ１２８）、処理を終了させる。
【０１１９】
ベルト保有状況情報を受信した電子早見本装置Ｂｍは（ステップＳ１０６）、当該情報に基づいて、ベルト保有状況確認画面６０を、図１０に示すように画面に表示する（ステップＳ１０７）。
【０１２０】
図１０に示すベルト保有状況確認画面６０においては、カラオケ曲毎のベルト保有状況、アーティスト毎のベルト保有状況、ジャンル毎のベルト保有状況が、夫々、符号６１、６２、６３に示すように表示される。ここで、カラオケ曲毎のベルト保有状況としてしては、符号６１に示すように、例えば、利用者が保有する各曲のチャンピオンベルトの画像、グレード、スコア、防衛回数等が表示される。また、アーティスト毎のベルト保有状況としては、符号６２に示すように、例えば、利用者が保有する各アーティストのチャンピオンベルトの画像、グレード、ベルト保有数等が表示される。また、ジャンル毎のベルト保有状況としては、符号６３に示すように、例えば、利用者が保有する各ジャンルのチャンピオンベルトの画像、グレード、ベルト保有数等が表示される。また、利用者が総合チャンピオンである場合には、符号６４に示すように、総合チャンピオンのベルトの画像等が表示される。
【０１２１】
なお、上記の説明においては、電子早見本装置Ｂｍを用いて利用者のベルト保有状況を確認する場合について説明したが、ユーザ端末Ｔｉを用いた場合でも、上記と同様にしてベルト保有状況を確認することができる。
【０１２２】
以上説明したように、本実施形態によれば、同一のカラオケ曲において歌唱力の採点結果が最も良い１位の利用者のスコアが、当該カラオケ曲における歌唱のカラオケチャンピオンのスコアとして、曲番号と対応付けて判別可能にランキングＤＢ１０３に登録され、カラオケサーバＳＡのシステム制御部１３は、カラオケ装置Ｃｎから採点スコアと選曲番号とを含む採点結果情報を受信し、採点スコアが、選曲番号に対応してランキングＤＢ１０３に登録されているカラオケチャンピオンのスコアと比較して、より良い採点結果を示す場合には、採点結果情報を送信してきたカラオケ装置Ｃｎの利用者を、新たなカラオケチャンピオンと認定し、カラオケチャンピオンの更新を行う。ここで、システム制御部１３は、採点スコアをカラオケチャンピオンのスコアとしてデータベースに変更登録し、カラオケ曲の配信開始日から新たな歌唱カラオケチャンピオンが認定された日までの日数に基づいて、カラオケチャンピオンとしての評価の高低を示し且つ認定されたカラオケチャンピオンに対して付与されるグレードを決定し、採点結果情報を送信してきたカラオケ装置Ｃｎの利用者が、決定されたグレードを付与されたカラオケチャンピオンと認定されていることを示し、且つ、当該利用者に対して報知すべきベルト情報を当該カラオケ装置Ｃｎに送信する。そうすると、カラオケ装置Ｃｎによりベルト情報に基づく報知が行われる。
【０１２３】
従って、歌唱力で１位を獲得した利用者が、カラオケ装置Ｃｎにより報知されたグレードによって、カラオケチャンピオンとしての自分に対する評価の高低を知ることができるので、歌唱力の採点についての興趣を向上させることができる。
【０１２４】
また、ランキングＤＢ１０３には、カラオケサーバＳＡがカラオケ装置Ｃｎに対して演奏データを配信し始める日として予め設定された配信開始日が、楽曲詳細情報に含まれて、当該演奏データが対応するカラオケ曲の曲番号と対応付けて登録されており、カラオケサーバＳＡのシステム制御部１３は、予め区分された複数の日数範囲のうち、選曲番号に対応してランキングＤＢ１０３に登録されている配信開始日から新たな歌唱カラオケチャンピオンが認定された日までの日数を含む日数範囲までの、配信開始日からの日数がより少ない日数範囲であるほど、より高い評価を示すようにグレードを決定する。
【０１２５】
従って、演奏データの配信の開始からより早く１位を獲得するほどグレードが高くなるので、新しいカラオケ曲を早く覚える熱心な利用者を高く評価することが可能となり、新しいカラオケ曲をいち早く歌おうとする動機付けを利用者に対して与え、これにより、カラオケシステムＳの利用を促進することができる。
【０１２６】
また、ランキングＤＢ１０３には、各カラオケ曲におけるカラオケチャンピオンのスコア及び各カラオケチャンピオンに付与されたグレードが、夫々各カラオケ曲の曲番号と、各カラオケチャンピオンと認定された利用者を識別するためのユーザＩＤと対応付けて判別可能に登録されており、カラオケサーバＳＡのシステム制御部１３は、選曲番号、採点スコア及び採点ユーザＩＤを含む採点結果情報をカラオケ装置Ｃｎから受信し、新たなカラオケチャンピオンを認定した場合には、その新たなカラオケチャンピオンのスコアと、決定されたグレードとを、選曲番号及び採点ユーザＩＤと対応付けてランキングＤＢ１０３に変更登録し、電子早見本装置Ｂｍまたはユーザ端末Ｔｉから送信されたログインリクエストを受信し、受信されたログインリクエストに含まれるユーザＩＤに対応してランキングＤＢ１０３に登録されているグレード情報及び曲番号に基づいて、ユーザＩＤが示す利用者のカラオケ曲毎のベルト情報を、ログインリクエストを送信してきた電子早見本装置Ｂｍまたはユーザ端末Ｔｉに送信する。
【０１２７】
従って、利用者は、自分が現在１位になっているカラオケ曲についてのグレードを電子早見本装置Ｂｍまたはユーザ端末Ｔｉを利用して知ることができる。
【０１２８】
また、楽曲１０１には、演奏データが対応するカラオケ曲のアーティストを示すアーティストＩＤ及びジャンルを示すジャンルＩＤが、当該カラオケ曲の曲番号と対応付けて登録されており、カラオケサーバＳＡのシステム制御部１３は、選曲番号が示すカラオケ曲とアーティストＩＤまたはジャンルＩＤが一致するカラオケ曲の曲番号に対応して、ランキングＤＢ１０３にアーティストカラオケチャンピオンまたはジャンルチャンピオンとして登録されているユーザＩＤのうち、採点ユーザＩＤと一致するユーザＩＤが登録されている数が最も多い場合には、当該ユーザＩＤが示す利用者を、アーティストカラオケチャンピオンまたはジャンルチャンピオンと認定し、採点結果情報を送信してきたカラオケ装置Ｃｎの利用者がアーティストカラオケチャンピオンまたはジャンルチャンピオンであることを示す情報（アーティストＩＤ、ジャンルＩＤ等）を含むベルト情報をカラオケ装置Ｃｎに送信する。
【０１２９】
従って、アーティストまたはジャンルが一致するカラオケ曲のうち１位を獲得したカラオケ曲の数が最も多い利用者が、当該アーティストまたはジャンルにおけるカラオケチャンピオンと認定されるので、同じアーティストまたはジャンルのカラオケ曲をより多く一番上手に歌った利用者が高い評価を受けることができる。また、特定のアーティストまたはジャンルのカラオケ曲をよく歌う利用者や好きな利用者等のうち、どの利用者が当該アーティストまたはジャンルについて一番歌唱力があるかということを競わせることができる。更に、利用者は、楽曲チャンピオンのベルトのグレードを上げるか、あるいは、アーティストチャンピオンやジャンルチャンピオンを狙うかによって、どの曲を歌えば良いか等の戦略を働かせることにより、より興趣を向上させることができる。
【０１３０】
また、カラオケサーバＳＡのシステム制御部１３は、利用者が保有しているチャンピオンベルトのグレードに基づいて、認定されたアーティストチャンピオンまたはジャンルチャンピオンに対して付与されるグレードを決定し、当該グレードを、当該アーティストチャンピオンまたはジャンルチャンピオンと認定された利用者のユーザＩＤと、アーティストＩＤまたはジャンルＩＤと、に対応付けてランキングＤＢ１０３に登録し、採点結果情報を送信してきたカラオケ装置Ｃｎの利用者が、決定されたグレードを含むベルト情報をカラオケ装置Ｃｎに送信する。
【０１３１】
従って、アーティストチャンピオンまたはジャンルチャンピオンとなった利用者が、当該アーティストチャンピオンまたはジャンルチャンピオンとしての自分に対する評価の高低を知ることができる。
【０１３２】
また、カラオケサーバＳＡのシステム制御部１３は、ジャンルチャンピオンのベルト保有数が最も多い利用者を総合チャンピオンと認定するので、カラオケシステムＳの利用者の中で誰が一番歌唱力があるかということを決定することができる。
【０１３３】
また、ユーザＤＢ１０２には、利用者のメールアドレスが、ユーザ情報に含まれて、当該利用者のユーザＩＤと対応付けて登録されており、カラオケサーバＳＡのシステム制御部１３は、カラオケチャンピオンを更新する際に、今までカラオケチャンピオンであった利用者のメールアドレス宛に、当該利用者がカラオケチャンピオンではなくなった旨を通知する通知メールを送信する。
【０１３４】
従って、電子早見本装置Ｂｍまたはユーザ端末Ｔｉ等を用いて通知メールを受信することにより、対象のカラオケ曲について今まで１位であった利用者が、１位ではなくなったことを知ることができるので、再度１位を獲得するために当該カラオケ曲を歌おうとする動機付けを利用者に対して与え、これにより、カラオケ装置Ｃｎの利用を促進することができる。
【０１３５】
［２．第２実施形態］
次に、第２実施形態について、図１２及び図１３を用いて説明する。
【０１３６】
図１２（ａ）は、第２実施形態に係るカラオケサーバＳＡのシステム制御部１３におけるグレード決定処理の処理例を示すフローチャートであり、図１２（ｂ）は、採点人数とグレードの対応関係の一例を示す図である。また、図１３は、第２実施形態に係るカラオケサーバＳＡのシステム制御部１３におけるカテゴリー別チャンピオン更新処理の処理例を示すフローチャートであり、同図において、図８と同様の要素については同様の符号を付してある。
【０１３７】
上記説明した第１実施形態においては、カラオケ曲の配信開始日からの日数を基準として楽曲チャンピオンのベルトのグレードを決定していたが、以下に説明する第２実施形態は、採点人数を基準としてグレードを決定する場合の実施形態である。具体的には、採点人数が多いほどグレードが高くなっている。つまり、対象のカラオケ曲を歌った多数の利用者の中で１位を獲得した利用者に対して高い評価を与えるのである。
【０１３８】
先ず、グレード決定処理について説明する。
【０１３９】
図１２（ａ）に示すように、カラオケサーバＳＡのシステム制御部１３は、グレード決定処理（図６ステップＳ４０で実行される）において、選曲番号に対応して楽曲ＤＢ１０１に登録されている楽曲詳細情報から採点人数を取得すると（ステップＳ１４１）、当該採点人数に応じてグレードを決定する（ステップＳ１４２）。具体的に、システム制御部１３は、図１２（ｂ）に示すように、採点人数が０から１０人下の人数範囲内にある場合には、グレードはプラスチックと決定し、採点人数が１１から５０人以下の人数範囲内にある場合には、グレードはスチールと決定し、採点人数が５１から３００人以下の人数範囲内にある場合には、グレードはシルバーと決定し、採点人数が３０１から１０００人以下の人数範囲内にある場合には、グレードはゴールドと決定し、採点人数が１００１人以上の人数範囲内にある場合には、グレードはプラチナと決定する。システム制御部１３は、この処理を終えると、グレード決定処理を終了させる。
【０１４０】
次に、カテゴリー別チャンピオン更新処理について説明する。
【０１４１】
図１３に示すように、カラオケサーバＳＡのシステム制御部１３は、カテゴリー別チャンピオン更新処理（図６ステップＳ４２で実行される）のステップＳ６３において、算出したベルト保有数が現アーティストチャンピオンのベルト保有数よりも多く、利用者を新たなアーティストチャンピオンと認定した場合には（ステップＳ６３：ＹＥＳ）、ステップＳ６４及びＳ６５の処理の後、新たにアーティストチャンピオンとなった利用者に付与するベルトのグレードを決定する（ステップＳ８０）。具体的に、システム制御部１３は、取得されたアーティストＩＤに対応するアーティストのカラオケ曲のうち、利用者がチャンピオンとなっている各カラオケ曲の楽曲詳細情報の採点人数の合計値を算出し、当該合計値に応じたグレードを決定する。ここで、システム制御部１３は、算出された合計値が示す採点人数が多いほど、より高いグレードを決定する。
【０１４２】
また、システム制御部１３は、ステップＳ７０において、算出したベルト保有数が現ジャンルチャンピオンのベルト保有数よりも多く、利用者を新たなジャンルチャンピオンと認定した場合には（ステップＳ７０：ＹＥＳ）、ステップＳ７１及びＳ７２の処理の後、新たにジャンルチャンピオンとなった利用者に付与するベルトのグレードを決定する（ステップＳ８１）。具体的に、システム制御部１３は、取得されたジャンルＩＤに対応するジャンルのカラオケ曲のうち、利用者がチャンピオンとなっている各カラオケ曲の楽曲詳細情報の採点人数の合計値を算出し、当該合計値に応じたグレードを決定する。ここで、システム制御部１３は、算出された合計値が示す採点人数が多いほど、より高いグレードを決定する。
【０１４３】
以上説明したように、本実施形態によれば、カラオケサーバＳＡのシステム制御部１３は、採点スコアに基づいて、選曲番号が示すカラオケ曲について歌唱力における利用者の全国順位を決定し、予め区分された複数の回数範囲のうち、選曲番号に対応して全国順位が決定された回数（採点回数）を含む回数範囲が、より回数の多い回数範囲であるほど、より高い評価を示すようにグレードを決定する。
【０１４４】
従って、より多くの利用者に歌われた中で１位を獲得するほどグレードが高くなるので、客観的に実力のある利用者を高く評価することが可能となり、カラオケ曲をより上手に歌おうとする動機付けを利用者に対して与え、これにより、カラオケ装置Ｃｎの利用を促進することができる。
【０１４５】
［３．第３実施形態］
次に、第３実施形態について、図１４を用いて説明する。
【０１４６】
図１４は、第３実施形態に係るカラオケサーバＳＡのシステム制御部１３におけるグレード決定処理の処理例を示すフローチャートである。
【０１４７】
以下に説明する第３実施形態は、カラオケ曲の配信開始日からの日数と採点人数とを統合的に勘案して、楽曲チャンピオンのベルトのグレードを決定する場合の実施形態である。
【０１４８】
図１４に示すように、カラオケサーバＳＡのシステム制御部１３は、グレード決定処理（図６ステップＳ４０で実行される）において、選曲番号に対応して楽曲ＤＢ１０１に登録されている楽曲詳細情報から配信開始日と採点人数を取得すると（ステップＳ１５１、Ｓ１５２）、当該配信開始日から今日までの日数と採点人数とに基づいてグレードを決定する（ステップＳ１５３）。
【０１４９】
具体的には、例えば、日数を複数の日数範囲に区分して、この日数範囲毎にグレードに対する重み付けを設定しておく。この重み付けは、日数が少ない日数範囲であるほどよりグレードが高くなるような重み付けを設定する。また、採点人数を複数の人数範囲に区分して、この人数範囲毎にグレードに対する重み付けを設定しておく。この重み付けは、採点人数が少ない人数範囲であるほどよりグレードが高くなるような重み付けを設定する。
【０１５０】
システム制御部１３は、配信開始日から今日までの日数と採点人数とに対応する重み付けを夫々取得し、これらの重み付けを掛け合わせてグレード値を算出する。そして、システム制御部１３は、このグレード値に応じて、プラチナ、ゴールド、シルバー、スチール、プラスチックの何れかのグレードを決定する。つまり、システム制御部１３は、配信開始日から今日までの日数の範囲が同一である場合には、採点人数が多い範囲であるほど、よりグレードを決定する一方、採点人数の範囲が同一である場合には、配信開始日から今日までの日数が少ない範囲であるほど、よりグレードを決定する。
【０１５１】
なお、配信開始日から今日までの日数が極めて多い場合であっても、採点人数が極めて多い場合には、グレードとしてプラチナが決定されるように重み付けを設定するとともに、採点人数が極めて少ない場合であっても、配信開始日から今日までの日数極めて少ない場合には、グレードとしてプラチナが決定されるように重み付けを設定することが望ましい。このようにすることで、歌唱力が十分にある利用者に対して正当な評価を与えることができる一方、新曲をいち早く歌ってマスターしてしまう熱狂的なファンのような利用者に対して、その熱狂度等の高さを評価することができる。
【０１５２】
以上説明したように、本実施形態によれば、ランキングＤＢ１０３には、カラオケサーバＳＡがカラオケ装置Ｃｎに対して演奏データを配信し始める日として予め設定された配信開始日が、楽曲詳細情報に含まれて、当該演奏データが対応するカラオケ曲の曲番号と対応付けて登録されており、カラオケサーバＳＡのシステム制御部１３は、採点スコアに基づいて、選曲番号が示すカラオケ曲について歌唱力における利用者の全国順位を決定し、選曲番号に対応してランキングＤＢ１０３に登録されている配信開始日から新たな歌唱カラオケチャンピオンが認定された日までの日数がより少ないほど、より高い評価を示すように、且つ、選曲番号に対応して全国順位が決定された回数がより多いほど、より高い評価を示すように、統合的にグレードを決定することを特徴とする。
【０１５３】
従って、演奏データの配信の開始からより早く１位を獲得するほどグレードが高くなる一方、より多くの利用者に歌われた中で１位を獲得するほどグレードが高くなるので、どのようにしてグレードを上げるかによってカラオケ曲の選び方やカラオケシステムＳの利用時期等を決めるなどの戦略を利用者が働かせる等ことにより、より興趣を向上させることができる。
【０１５４】
なお、上記説明した各実施形態においては、楽曲チャンピオンのベルトのグレードを決定するための基準として、カラオケ曲の配信開始日から新たな歌唱カラオケチャンピオンが認定された日までの日数や採点回数を適用していたが、これだけに限られるものではない。例えば、カラオケルーム（カラオケ装置Ｃｎが設置されている部屋）に入った利用者のグループの人数が多いほど高いグレードを付与するようにしても良い。つまり、グループの人数が多いということは、聴衆が多い中で歌った結果、１位を獲得したということであるので、そのことを評価して高いグレードを付与するのである。この場合は、例えば、各店舗に設置された管理用の端末装置を店員（従業員）が操作することにより、来客したグループの人数等を入力し、当該グループの人数等に関する情報をカラオケサーバＳＡにて管理を行えば良い。
【０１５５】
また、例えば、歌った店舗や地域等に応じてグレードを決定しても良い。この場合は、例えば、来客数が多い店舗、あるいは、カラオケシステムＳを利用する利用者が多い地域において、利用者が歌った結果、１位を獲得したときに高いグレードを付与するのである。また、例えば、カラオケ曲の歌年齢と利用者の年齢とに基づいてグレードを決定しても良い。この場合は、例えば、カラオケ曲の歌年齢と利用者の年齢との差が大きいほど、当該曲を上手に歌うことは難しいとして、高いグレードを付与するのである。
【０１５６】
また、上記各実施形態においては、ランキングとして各楽曲毎の全国順位のみを決定し、楽曲チャンピオンは楽曲毎に一人のみとしていたが、例えば、これに加えて、店舗や地域（例えば、都道府県）毎において各楽曲毎のランキングを決定しても良い。また、この場合には、同一楽曲について店舗や地域毎に夫々楽曲チャンピオンを認定しても良い（アーティストチャンピオン、ジャンルチャンピオンについても同様）。具体的には、例えば、各カラオケ装置Ｃｎに対して、当該カラオケ装置が設置される店舗や地域（以下、「店舗等」という）を示す情報を、店舗ＩＤや地域ＩＤ（設置場所情報の一例）として予め設定し、記憶部３０等に記憶させる。そして、カラオケ装置Ｃｎは、採点処理を実行した後、設定されている店舗ＩＤや地域ＩＤ（以下、「店舗ＩＤ等」という）を採点結果情報に含めてカラオケサーバＳＡに送信し、カラオケサーバＳＡはこの店舗ＩＤ等に対応してランキング情報等の更新を行えば良い。
【０１５７】
また、この場合において、カラオケチャンピオンのグレードを決定するときには、カラオケ装置Ｃｎが設置されている店舗等と、利用者が良く利用する店舗や利用者の住所とを比較し、この比較結果を加味してグレードを決定しても良い。具体的には、店舗や地域に対して利用者のホーム（Home：本拠地）とアウェー（Away）という概念を導入し、利用者が自分のホームで歌ったときに評価の高いグレードが付与されやすくしたり（ホームでは利用者の有利に働く）、その逆に、利用者がアウェーで歌ったときに評価の高いグレードが付与されやすくするのである（慣れない場所で歌ったこと自体を高く評価する）。これによれば、ホームで歌うか、アウェーで歌うかによってグレードが異なる場合があるので、面白みが増し、また、チャンピオンベルトを獲得したときの期待感を高めることができる。
【０１５８】
より詳細には、例えば、ユーザ登録時に、利用者が良く利用する店舗をホーム店舗（本拠地情報の一例）として入力させるとともに、利用者の住所（本拠地情報の一例）を入力させ、これらの情報をユーザ情報に含めてユーザＤＢ１０２に登録しておく。カラオケサーバＳＡは、利用者を新たな楽曲チャンピオンと認定したら、カラオケ装置Ｃｎから受信した採点結果情報に含まれるユーザＩＤに対応してユーザＤＢ１０２に登録されているユーザ情報からホーム店舗や住所を取得し、この取得した情報と採点結果情報に含まれる店舗ＩＤ等が示す設置場所とを比較する。
【０１５９】
そして、カラオケサーバＳＡは、例えば、ホーム店舗と店舗ＩＤが示す店舗とが一致した場合、すなわち、利用者が自分のホームで歌った結果として楽曲チャンピオンに認定された場合には（あるいは、ホーム店舗と店舗ＩＤが示す店舗とが一致しなかった場合、すなわち、利用者がアウェーで歌った結果として楽曲チャンピオンに認定された場合には）、より評価の高いグレードが付与されるように処理する。例えば、採点人数を基準としてグレードを決定する場合であれば、この採点人数に、予め設定されている計数等を乗じて一時的に採点人数を増加させ、この増加させた採点人数を基準としてグレードを決定する。なお、地域で判断する場合であれば、利用者の住所が地域ＩＤが示す地域内に所在する場合にはホームであると判断し、地域ＩＤが示す地域内に所在しない場合には、アウェーであると判断すれば良い。
【０１６０】
また、各店舗におけるカラオケ装置Ｃｎの設置台数が多いほど、評価の高いグレードが付与されやすくしても良い。これによれば、利用者は、評価の高いグレードを求めてカラオケ装置Ｃｎの設置台数が多い店舗を利用するようになるので、設置台数の多い店舗に対して有利に働くとともに、店舗に対して、カラオケ装置Ｃｎをより多く設置しようとするインセンティブを与えることができる。具体的には、カラオケサーバＳＡは、各店舗毎にカラオケ装置Ｃｎの設置台数をデータベースに登録しておき、グレードを決定する際、例えば、採点人数を基準としてグレードを決定する場合であれば、この採点人数に、カラオケ装置Ｃｎの設置台数に対応した係数等を乗じてグレードを決定すれば良い。
【０１６１】
また、総合チャンピオンの他に、店舗毎あるいは地域毎のローカルなカラオケチャンピオンを認定するようにしても良い。この場合には、例えば、ローカルなカラオケチャンピオンの中から一人を総合チャンピオンに認定するようにしても良い。
【０１６２】
また、上記各実施形態においては、カラオケチャンピオンが入れ替わったときに、新たなカラオケチャンピオンに対するベルトのグレードを決定した後は、そのグレードは固定されたままであったが、その後の状況等に応じてグレードを更新しても良い。例えば、１位を獲得して新たにカラオケチャンピオンと認定されたときには、採点人数が少なかったために、ベルトのグレードは低くしていたが、その後、採点人数が増えたときにその採点人数に応じたグレードを改めて付与する等を行っても良い。
【０１６３】
また、上記各実施形態においては、ジャンルチャンピオンのベルト保有数が最も多い利用者を総合チャンピオンと認定していたが、例えば、アーティストチャンピオンのベルト保有数が最も多い利用者を総合チャンピオンと認定しても良いし、ジャンルチャンピオンのベルト保有数とアーティストチャンピオンのベルト保有数との合計が最も多い利用者を総合チャンピオンと認定しても良い。
【０１６４】
また、例えば、店舗や地域毎に、楽曲チャンピオンのベルト保有数が最も多い利用者を、その店舗や地域のカラオケチャンピオンと認定しても良い。この場合は、例えば、各店舗や地域のカラオケチャンピオンの中で、ベルト保有数が最も多い利用者を総合チャンピオンと認定しても良い。
【０１６５】
また、カラオケチャンピオンに認定された利用者に対して、プレゼントを贈呈したり、カラオケの利用料金の割引等を行っても良く、これらの場合においては、ベルトのグレードによってプレゼントの内容や割引率等を変えても良い。また、カラオケチャンピオンの防衛回数に応じて、プレゼントの贈呈やカラオケの利用料金の割引等を行っても良い。この場合は、例えば、カラオケサーバＳＡにおいて、カラオケチャンピオンが入れ替わったときや防衛回数が所定数に達したときに、ユーザＤＢ１０２等に特典が付与された旨の情報を登録し、例えば、カラオケシステムＳの管理者がその情報を確認してプレゼントを郵送したり、利用料金の精算時に、上述した管理用の端末装置で、カラオケサーバＳＡから割引に関する情報等を取得することによって、割引を行えば良い。
【図面の簡単な説明】
【０１６６】
【図１】第１実施形態に係るカラオケシステムＳの概要構成の一例を示す図である。
【図２】第１実施形態に係るカラオケサーバＳＡの構成の概要例を示すブロック図である。
【図３】ユーザＤＢ１０２におけるデータ構造の一例を示す図である。
【図４】ランキングＤＢ１０３におけるデータ構造の一例を示す図である。
【図５】第１実施形態に係るカラオケ装置Ｃｎの構成の概要例を示すブロック図である。
【図６】第１実施形態に係るカラオケシステムＳのカラオケチャンピオン更新時における処理例を示すフローチャートである。
【図７】（ａ）は、第１実施形態に係るカラオケサーバＳＡのシステム制御部１３におけるグレード決定処理の処理例を示すフローチャートであり、（ｂ）は、配信開始日からの日数とグレードの対応関係の一例を示す図である。
【図８】第１実施形態に係るカラオケサーバＳＡのシステム制御部１３におけるカテゴリー別チャンピオン更新処理の処理例を示すフローチャートである。
【図９】全国順位表示画面５０の表示例を示す図である。
【図１０】第１実施形態に係るカラオケシステムＳのベルト保有状況確認時における処理例を示すフローチャートである。
【図１１】ベルト保有状況確認画面６０の表示例を示す図である。
【図１２】（ａ）は、第２実施形態に係るカラオケサーバＳＡのシステム制御部１３におけるグレード決定処理の処理例を示すフローチャートであり、（ｂ）は、採点人数とグレードの対応関係の一例を示す図である。
【図１３】第２実施形態に係るカラオケサーバＳＡのシステム制御部１３におけるカテゴリー別チャンピオン更新処理の処理例を示すフローチャートである。
【図１４】第３実施形態に係るカラオケサーバＳＡのシステム制御部１３におけるグレード決定処理の処理例を示すフローチャートである。
【符号の説明】
【０１６７】
１１  通信部
１２  記憶部
１３  システム制御部
１４  システムバス
２１  通信部
２２  映像処理部
２３  表示部
２４  音声処理部
２５  マイクロフォン
２６  ミキシングアンプ
２７  スピーカ
２８  Ａ／Ｄコンバータ
２９  歌唱採点部
３０  記憶部
３１  システム制御部
３２  システムバス
１０１  楽曲ＤＢ
１０２  ユーザＤＢ
１０３  ランキングＤＢ
Ｃｎ  カラオケ装置
Ｂｍ  電子早見本装置
Ｔｉ  ユーザ端末
Ｄｊ  回線終端装置
Ａｋ  アクセスポイント
ＳＡ  カラオケサーバ
Ｓ  カラオケシステム
【図１】
2008203501.tif 000003
【図２】
2008203501.tif 000004
【図３】
2008203501.tif 000005
【図４】
2008203501.tif 000006
【図５】
2008203501.tif 000007
【図６】
2008203501.tif 000008
【図７】
2008203501.tif 000009
【図８】
2008203501.tif 000010
【図９】
2008203501.tif 000011
【図１０】
2008203501.tif 000012
【図１１】
2008203501.tif 000013
【図１２】
2008203501.tif 000014
【図１３】
2008203501.tif 000015
【図１４】
2008203501.tif 000016